(57)【特許請求の範囲】
【請求項１】
少なくとも１つの通信先装置と無線通信を実行可能に構成された無線通信装置であって、
ＲＯＤ（Ｒａｄｉｏ  ｏｎ  Ｄｅｍａｎｄ）モード、及び、非ＲＯＤモードのいずれかの作動モードにて作動するように構成され、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成され、
前記通信先装置のそれぞれに対して、当該通信先装置が、前記起動指示信号を送信可能なＲＯＤ対応装置、及び、当該起動指示信号を送信不能なＲＯＤ非対応装置、のいずれであるかを表す対応情報を取得する対応情報取得手段を備え、
前記取得された対応情報が、前記通信先装置のすべてが前記ＲＯＤ対応装置であることを表す場合、前記ＲＯＤモードにて作動するように構成され、一方、当該取得された対応情報が、前記通信先装置の少なくとも１つが前記ＲＯＤ非対応装置であることを表す場合、前記非ＲＯＤモードにて作動するように構成され、
前記対応情報取得手段は、
前記起動指示信号を送信可能であることを表す対応可能通知の送信を要求する通知送信要求を前記通信先装置のそれぞれへ送信するとともに、当該送信された通知送信要求に応じて当該通信先装置から当該対応可能通知を受信した場合、当該通信先装置に対して当該通信先装置が前記ＲＯＤ対応装置であることを表す対応情報を取得し、一方、当該送信された通知送信要求に応じて当該通信先装置から当該対応可能通知を受信しなかった場合、当該通信先装置に対して当該通信先装置が前記ＲＯＤ非対応装置であることを表す対応情報を取得するように構成された無線通信装置。
【請求項２】
請求項１に記載の無線通信装置であって、
当該無線通信装置の状態が前記起動状態に設定されている場合、予め設定された送信周期が経過する毎に、当該無線通信装置と無線通信可能であることを通知するためのビーコン信号を送信するように構成された無線通信装置。
【請求項３】
請求項２に記載の無線通信装置であって、
前記非ＲＯＤモードは、
予め定められた第１の省電力条件が成立しない場合、前記送信周期を第１の送信周期に設定し、一方、当該第１の省電力条件が成立する場合、当該送信周期を当該第１の送信周期よりも長い第２の送信周期に設定するように構成された無線通信装置。
【請求項４】
請求項１乃至請求項３のいずれかに記載の無線通信装置であって、
前記非ＲＯＤモードは、
予め定められた第２の省電力条件が成立する場合、当該無線通信装置が作動を停止する予定であることを通知するための作動停止通知を送信するとともに、当該無線通信装置への電力の供給を遮断するように構成された無線通信装置。
【請求項５】
少なくとも１つの通信先装置と無線通信を実行可能に構成された無線通信装置を複数備える無線通信システムであって、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置は、ＲＯＤモード、及び、非ＲＯＤモードのいずれかの作動モードにて作動するように構成され、
前記非ＲＯＤ装置は、非ＲＯＤモードにて作動するように構成され、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成され、
前記複数の無線通信装置のそれぞれと通信可能に構成された制御装置を備え、
前記制御装置は、
前記複数の無線通信装置のうちの前記ＲＯＤ装置のそれぞれの前記作動モードを設定する作動モード設定手段を備え、
前記制御装置は、
前記複数の無線通信装置のうちの前記ＲＯＤ装置のそれぞれに対して、当該ＲＯＤ装置と無線通信可能な通信先装置毎に、当該通信先装置が、前記起動指示信号を送信可能なＲＯＤ対応装置、及び、当該起動指示信号を送信不能なＲＯＤ非対応装置、のいずれであるかを表す対応情報を取得する対応情報取得手段を備え、
前記作動モード設定手段は、
前記複数の無線通信装置のうちの前記ＲＯＤ装置のそれぞれの前記作動モードを、前記取得された対応情報に基づいて設定するように構成され、
前記対応情報取得手段は、
前記ＲＯＤ装置を介して前記起動指示信号を送信可能であることを表す対応可能通知の送信を要求する通知送信要求を前記通信先装置のそれぞれへ送信するとともに、当該送信された通知送信要求に応じて当該通信先装置から当該対応可能通知を受信した場合、当該通信先装置に対して当該通信先装置が前記ＲＯＤ対応装置であることを表す対応情報を取得し、一方、当該送信された通知送信要求に応じて当該通信先装置から当該対応可能通知を受信しなかった場合、当該通信先装置に対して当該通信先装置が前記ＲＯＤ非対応装置であることを表す対応情報を取得するように構成された無線通信システム。
【請求項６】
少なくとも１つの通信先装置と無線通信を実行可能に構成された複数の無線通信装置のそれぞれと通信可能に構成された制御装置であって、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置は、ＲＯＤモード、及び、非ＲＯＤモードのいずれかの作動モードにて作動するように構成され、
前記非ＲＯＤ装置は、非ＲＯＤモードにて作動するように構成され、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成され、
前記制御装置は、
前記複数の無線通信装置のうちの前記ＲＯＤ装置のそれぞれの前記作動モードを設定する作動モード設定手段を備え、
前記複数の無線通信装置のうちの前記ＲＯＤ装置のそれぞれに対して、当該ＲＯＤ装置と無線通信可能な通信先装置毎に、当該通信先装置が、前記起動指示信号を送信可能なＲＯＤ対応装置、及び、当該起動指示信号を送信不能なＲＯＤ非対応装置、のいずれであるかを表す対応情報を取得する対応情報取得手段を備え、
前記作動モード設定手段は、
前記複数の無線通信装置のうちの前記ＲＯＤ装置のそれぞれの前記作動モードを、前記取得された対応情報に基づいて設定するように構成され、
前記対応情報取得手段は、
前記ＲＯＤ装置を介して前記起動指示信号を送信可能であることを表す対応可能通知の送信を要求する通知送信要求を前記通信先装置のそれぞれへ送信するとともに、当該送信された通知送信要求に応じて当該通信先装置から当該対応可能通知を受信した場合、当該通信先装置に対して当該通信先装置が前記ＲＯＤ対応装置であることを表す対応情報を取得し、一方、当該送信された通知送信要求に応じて当該通信先装置から当該対応可能通知を受信しなかった場合、当該通信先装置に対して当該通信先装置が前記ＲＯＤ非対応装置であることを表す対応情報を取得するように構成された無線通信システム。
【請求項７】
無線通信可能に構成された無線通信装置を複数備える無線通信システムであって、
前記複数の無線通信装置のそれぞれは、メッシュ型の通信網におけるノードを構成し、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置は、ＲＯＤモード、及び、非ＲＯＤモードのいずれかの作動モードにて作動するように構成され、
前記非ＲＯＤ装置は、非ＲＯＤモードにて作動するように構成され、
前記非ＲＯＤモードは、
自ノードと前記通信網において隣接するノードである隣接ノードと、予め定められた第１の通信方式に従った無線通信を実行可能な状態である起動状態に当該自ノードの状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記隣接ノードと当該第１の通信方式に従った無線通信を実行不能な状態であるスリープ状態と、のいずれかに前記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成され、
前記ＲＯＤ装置のそれぞれは、前記起動指示信号を送信可能に構成され、
前記非ＲＯＤ装置のそれぞれは、前記起動指示信号を送信不能に構成され、
前記ＲＯＤ装置のそれぞれは、
自ノードと前記通信網において隣接するノードである隣接ノードのそれぞれに対して、当該隣接ノードが、前記ＲＯＤ装置、及び、前記非ＲＯＤ装置、のいずれであるかを表す対応情報を取得する対応情報取得手段を備え、
前記取得された対応情報が、前記隣接ノードのすべてが前記ＲＯＤ装置であることを表す場合、前記ＲＯＤモードにて作動するように構成され、一方、当該取得された対応情報が、前記隣接ノードの少なくとも１つが前記非ＲＯＤ装置であることを表す場合、前記非ＲＯＤモードにて作動するように構成され、
前記対応情報取得手段は、
前記起動指示信号を送信可能であることを表す対応可能通知の送信を要求する通知送信要求を前記隣接ノードのそれぞれへ送信するとともに、当該送信された通知送信要求に応じて当該隣接ノードから当該対応可能通知を受信した場合、当該隣接ノードに対して当該隣接ノードが前記ＲＯＤ装置であることを表す対応情報を取得し、一方、当該送信された通知送信要求に応じて当該隣接ノードから当該対応可能通知を受信しなかった場合、当該隣接ノードに対して当該隣接ノードが前記非ＲＯＤ装置であることを表す対応情報を取得するように構成され、
前記ＲＯＤ装置のそれぞれは、
前記隣接ノードから前記通知送信要求を受信した場合、前記対応可能通知を当該隣接ノードへ送信する対応可能通知送信手段を備える無線通信システム。
【請求項８】
メッシュ型の通信網におけるノードを構成し、自ノードと前記通信網において隣接するノードである隣接ノードと無線通信可能に構成された無線通信装置であって、
ＲＯＤ（Ｒａｄｉｏ  ｏｎ  Ｄｅｍａｎｄ）モード、及び、非ＲＯＤモードのいずれかの作動モードにて作動するように構成され、
前記非ＲＯＤモードは、
前記隣接ノードと、予め定められた第１の通信方式に従った無線通信を実行可能な状態である起動状態に当該自ノードの状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記隣接ノードと当該第１の通信方式に従った無線通信を実行不能な状態であるスリープ状態と、のいずれかに前記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成され、
前記起動指示信号を送信可能に構成され、
自ノードと前記通信網において隣接するノードである隣接ノードのそれぞれに対して、当該隣接ノードが、前記起動指示信号を送信可能なＲＯＤ装置、及び、前記起動指示信号を送信不能な非ＲＯＤ装置、のいずれであるかを表す対応情報を取得する対応情報取得手段を備え、
前記取得された対応情報が、前記隣接ノードのすべてが前記ＲＯＤ装置であることを表す場合、前記ＲＯＤモードにて作動するように構成され、一方、当該取得された対応情報が、前記隣接ノードの少なくとも１つが前記非ＲＯＤ装置であることを表す場合、前記非ＲＯＤモードにて作動するように構成され、
前記対応情報取得手段は、
前記起動指示信号を送信可能であることを表す対応可能通知の送信を要求する通知送信要求を前記隣接ノードのそれぞれへ送信するとともに、当該送信された通知送信要求に応じて当該隣接ノードから当該対応可能通知を受信した場合、当該隣接ノードに対して当該隣接ノードが前記ＲＯＤ装置であることを表す対応情報を取得し、一方、当該送信された通知送信要求に応じて当該隣接ノードから当該対応可能通知を受信しなかった場合、当該隣接ノードに対して当該隣接ノードが前記非ＲＯＤ装置であることを表す対応情報を取得するように構成され、
前記隣接ノードから前記通知送信要求を受信した場合、前記対応可能通知を当該隣接ノードへ送信する対応可能通知送信手段を備える無線通信装置。
【発明の詳細な説明】
【技術分野】
【０００１】
本発明は、少なくとも１つの通信先装置と無線通信を実行可能に構成された無線通信装置に関する。
【背景技術】
【０００２】
少なくとも１つの通信先装置と無線通信を実行可能に構成された無線通信装置が知られている。この種の無線通信装置の一つとして、特許文献１に記載の無線通信装置は、通信先装置と、予め定められた第１の通信方式に従った無線通信を実行可能な状態である起動状態に状態が設定される。通信先装置は、第１の通信方式に従った無線通信を無線通信装置と行う。
【先行技術文献】
【特許文献】
【０００３】
【特許文献１】特開２００９−１２４４６１号公報
【発明の概要】
【発明が解決しようとする課題】
【０００４】
ところで、上記無線通信装置は、通信先装置が無線通信可能な領域内に存在しない場合であっても、状態が起動状態に設定され続ける。従って、無線通信装置が消費する電力の量が無駄に過大となるという問題があった。
【０００５】
そこで、予め定められたスリープ条件が成立したとき、上記無線通信装置の状態をスリープ状態に設定するように無線通信装置を構成することが好適であると考えられる。ここで、スリープ状態は、信号を受信するために必要とされる電力が第１の通信方式よりも小さい第２の通信方式に従った起動指示信号を受信可能であり、且つ、通信先装置と第１の通信方式に従った無線通信を実行不能な状態である。
【０００６】
ところで、一般に、伝送レートが小さい通信方式ほど、その通信方式に従った信号を受信するために必要とされる電力も小さい。ここで、伝送レートは、単位時間あたりに伝送されるデータの量である。従って、第２の通信方式は、第１の通信方式よりも伝送レートが小さい通信方式である。
【０００７】
この場合、通信先装置は、起動指示信号を無線通信装置へ送信する。無線通信装置は、起動指示信号を受信すると、無線通信装置の状態を起動状態に設定する。その後、通信先装置は、無線通信装置と通信する。これによれば、無線通信装置が消費する電力の量を低減することができる。
【０００８】
しかしながら、通信先装置が、起動指示信号を送信不能な装置である場合、この通信先装置は、無線通信装置と通信を行うことができない虞がある。即ち、上記のように構成された無線通信装置によれば、無線通信装置が消費する電力の量を低減し、且つ、通信先装置と無線通信を確実に実行できない虞があった。
【０００９】
このため、本発明の目的は、上述した課題である「無線通信装置が消費する電力の量を低減した場合に、通信先装置と無線通信を確実に実行できない場合が生じること」を解決することが可能な無線通信装置を提供することにある。
【課題を解決するための手段】
【００１０】
かかる目的を達成するため本発明の一形態である無線通信装置は、少なくとも１つの通信先装置と無線通信を実行可能に構成された装置である。
【００１１】
更に、この無線通信装置は、
ＲＯＤ（Ｒａｄｉｏ  ｏｎ  Ｄｅｍａｎｄ）モード、及び、非ＲＯＤモードのいずれかの作動モードにて作動するように構成され、
上記非ＲＯＤモードは、
上記通信先装置と、予め定められた第１の通信方式に従った無線通信を実行可能な状態である起動状態に当該無線通信装置の状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成される。
【００１２】
また、本発明の他の形態である無線通信装置制御方法は、少なくとも１つの通信先装置と無線通信を実行可能に構成された無線通信装置に適用され、
上記無線通信装置を、ＲＯＤ（Ｒａｄｉｏ  ｏｎ  Ｄｅｍａｎｄ）モード、及び、非ＲＯＤモードのいずれかの作動モードにて作動させ、
上記非ＲＯＤモードは、
上記通信先装置と、予め定められた第１の通信方式に従った無線通信を実行可能な状態である起動状態に当該無線通信装置の状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成される。
【００１３】
また、本発明の他の形態である無線通信装置制御プログラムは、少なくとも１つの通信先装置と無線通信を実行可能に構成された無線通信装置が実行するプログラムである。
【００１４】
更に、この無線通信装置制御プログラムは、
上記無線通信装置に、
上記無線通信装置を、ＲＯＤ（Ｒａｄｉｏ  ｏｎ  Ｄｅｍａｎｄ）モード、及び、非ＲＯＤモードのいずれかの作動モードにて作動させる処理を実行させるとともに、
上記非ＲＯＤモードは、
上記通信先装置と、予め定められた第１の通信方式に従った無線通信を実行可能な状態である起動状態に当該無線通信装置の状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成される。
【００１５】
また、本発明の他の形態である無線通信システムは、少なくとも１つの通信先装置と無線通信を実行可能に構成された無線通信装置を複数備えるシステムである。
【００１６】
更に、上記複数の無線通信装置のそれぞれは、ＲＯＤ（Ｒａｄｉｏ  ｏｎ  Ｄｅｍａｎｄ）装置、又は、非ＲＯＤ装置であり、
上記ＲＯＤ装置は、ＲＯＤモード、及び、非ＲＯＤモードのいずれかの作動モードにて作動するように構成され、
上記非ＲＯＤ装置は、非ＲＯＤモードにて作動するように構成され、
上記非ＲＯＤモードは、
上記通信先装置と、予め定められた第１の通信方式に従った無線通信を実行可能な状態である起動状態に当該無線通信装置の状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成される。
【００１７】
また、本発明の他の形態である無線通信システム制御方法は、
少なくとも１つの通信先装置と無線通信を実行可能に構成された無線通信装置を複数備える無線通信システムに適用される。
上記複数の無線通信装置のそれぞれは、ＲＯＤ（Ｒａｄｉｏ  ｏｎ  Ｄｅｍａｎｄ）装置、又は、非ＲＯＤ装置である。
上記無線通信システム制御方法は、
上記ＲＯＤ装置を、ＲＯＤモード、及び、非ＲＯＤモードのいずれかの作動モードにて作動させ、
上記非ＲＯＤ装置を、非ＲＯＤモードにて作動させ、
上記非ＲＯＤモードは、
上記通信先装置と、予め定められた第１の通信方式に従った無線通信を実行可能な状態である起動状態に当該無線通信装置の状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成される。
【００１８】
また、本発明の他の形態である制御装置は、少なくとも１つの通信先装置と無線通信を実行可能に構成された複数の無線通信装置のそれぞれと通信可能に構成された装置である。
【００１９】
更に、上記複数の無線通信装置のそれぞれは、ＲＯＤ（Ｒａｄｉｏ  ｏｎ  Ｄｅｍａｎｄ）装置、又は、非ＲＯＤ装置である。
上記ＲＯＤ装置は、ＲＯＤモード、及び、非ＲＯＤモードのいずれかの作動モードにて作動するように構成される。
上記非ＲＯＤ装置は、非ＲＯＤモードにて作動するように構成される。
上記非ＲＯＤモードは、
上記通信先装置と、予め定められた第１の通信方式に従った無線通信を実行可能な状態である起動状態に当該無線通信装置の状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成され、
上記制御装置は、
上記複数の無線通信装置のうちの上記ＲＯＤ装置のそれぞれの上記作動モードを設定する作動モード設定手段を備える。
【００２０】
また、本発明の他の形態である制御装置制御方法は、少なくとも１つの通信先装置と無線通信を実行可能に構成された複数の無線通信装置のそれぞれと通信可能に構成された制御装置に適用される。
上記複数の無線通信装置のそれぞれは、ＲＯＤ（Ｒａｄｉｏ  ｏｎ  Ｄｅｍａｎｄ）装置、又は、非ＲＯＤ装置である。
上記ＲＯＤ装置は、ＲＯＤモード、及び、非ＲＯＤモードのいずれかの作動モードにて作動するように構成される。
上記非ＲＯＤ装置は、非ＲＯＤモードにて作動するように構成される。
上記非ＲＯＤモードは、
上記通信先装置と、予め定められた第１の通信方式に従った無線通信を実行可能な状態である起動状態に当該無線通信装置の状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成される。
上記制御装置制御方法は、
上記制御装置が、上記複数の無線通信装置のうちの上記ＲＯＤ装置のそれぞれの上記作動モードを設定する方法である。
【００２１】
また、本発明の他の形態である制御装置制御プログラムは、少なくとも１つの通信先装置と無線通信を実行可能に構成された複数の無線通信装置のそれぞれと通信可能に構成された制御装置が実行するプログラムである。
【００２２】
更に、上記複数の無線通信装置のそれぞれは、ＲＯＤ（Ｒａｄｉｏ  ｏｎ  Ｄｅｍａｎｄ）装置、又は、非ＲＯＤ装置である。
上記ＲＯＤ装置は、ＲＯＤモード、及び、非ＲＯＤモードのいずれかの作動モードにて作動するように構成される。
上記非ＲＯＤ装置は、非ＲＯＤモードにて作動するように構成される。
上記非ＲＯＤモードは、
上記通信先装置と、予め定められた第１の通信方式に従った無線通信を実行可能な状態である起動状態に当該無線通信装置の状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成される。
上記制御装置制御プログラムは、
上記制御装置に、
上記複数の無線通信装置のうちの上記ＲＯＤ装置のそれぞれの上記作動モードを設定する処理を実行させるためのプログラムである。
【００２３】
また、本発明の他の形態である無線通信システムは、無線通信可能に構成された無線通信装置を複数備えるシステムである。
【００２４】
更に、上記複数の無線通信装置のそれぞれは、メッシュ型の通信網におけるノードを構成する。
上記複数の無線通信装置のそれぞれは、ＲＯＤ（Ｒａｄｉｏ  ｏｎ  Ｄｅｍａｎｄ）装置、又は、非ＲＯＤ装置である。
上記ＲＯＤ装置は、ＲＯＤモード、及び、非ＲＯＤモードのいずれかの作動モードにて作動するように構成される。
上記非ＲＯＤ装置は、非ＲＯＤモードにて作動するように構成される。
上記非ＲＯＤモードは、
自ノードと上記通信網において隣接するノードである隣接ノードと、予め定められた第１の通信方式に従った無線通信を実行可能な状態である起動状態に当該自ノードの状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記隣接ノードと当該第１の通信方式に従った無線通信を実行不能な状態であるスリープ状態と、のいずれかに上記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成される。
【００２５】
また、本発明の他の形態である無線通信システム制御方法は、無線通信可能に構成された無線通信装置を複数備える無線通信システムに適用される。
上記複数の無線通信装置のそれぞれは、メッシュ型の通信網におけるノードを構成する。
上記複数の無線通信装置のそれぞれは、ＲＯＤ（Ｒａｄｉｏ  ｏｎ  Ｄｅｍａｎｄ）装置、又は、非ＲＯＤ装置である。
上記無線通信システム制御方法は、
上記ＲＯＤ装置を、ＲＯＤモード、及び、非ＲＯＤモードのいずれかの作動モードにて作動させ、
上記非ＲＯＤ装置を、非ＲＯＤモードにて作動させ、
上記非ＲＯＤモードは、
自ノードと上記通信網において隣接するノードである隣接ノードと、予め定められた第１の通信方式に従った無線通信を実行可能な状態である起動状態に当該自ノードの状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記隣接ノードと当該第１の通信方式に従った無線通信を実行不能な状態であるスリープ状態と、のいずれかに上記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成される。
【００２６】
また、本発明の他の形態である無線通信装置は、メッシュ型の通信網におけるノードを構成し、自ノードと上記通信網において隣接するノードである隣接ノードと無線通信可能に構成された装置である。
【００２７】
更に、この無線通信装置は、
ＲＯＤ（Ｒａｄｉｏ  ｏｎ  Ｄｅｍａｎｄ）モード、及び、非ＲＯＤモードのいずれかの作動モードにて作動するように構成され、
上記非ＲＯＤモードは、
上記隣接ノードと、予め定められた第１の通信方式に従った無線通信を実行可能な状態である起動状態に当該自ノードの状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記隣接ノードと当該第１の通信方式に従った無線通信を実行不能な状態であるスリープ状態と、のいずれかに上記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成される。
【００２８】
また、本発明の他の形態である無線通信装置制御方法は、
メッシュ型の通信網におけるノードを構成し、自ノードと上記通信網において隣接するノードである隣接ノードと無線通信可能に構成された無線通信装置に適用され、
上記無線通信装置を、ＲＯＤ（Ｒａｄｉｏ  ｏｎ  Ｄｅｍａｎｄ）モード、及び、非ＲＯＤモードのいずれかの作動モードにて作動させ、
上記非ＲＯＤモードは、
上記隣接ノードと、予め定められた第１の通信方式に従った無線通信を実行可能な状態である起動状態に当該自ノードの状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記隣接ノードと当該第１の通信方式に従った無線通信を実行不能な状態であるスリープ状態と、のいずれかに上記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成される。
【００２９】
また、本発明の他の形態である無線通信装置制御プログラムは、メッシュ型の通信網におけるノードを構成し、自ノードと上記通信網において隣接するノードである隣接ノードと無線通信可能に構成された無線通信装置が実行するプログラムである。
【００３０】
更に、この無線通信装置制御プログラムは、
上記無線通信装置に、
上記無線通信装置を、ＲＯＤ（Ｒａｄｉｏ  ｏｎ  Ｄｅｍａｎｄ）モード、及び、非ＲＯＤモードのいずれかの作動モードにて作動させる処理を実行させるとともに、
上記非ＲＯＤモードは、
上記隣接ノードと、予め定められた第１の通信方式に従った無線通信を実行可能な状態である起動状態に当該自ノードの状態を設定するように構成され、
上記ＲＯＤモードは、
上記起動状態と、信号を受信するために必要とされる電力が上記第１の通信方式よりも小さい第２の通信方式に従った起動指示信号を受信可能であり且つ上記隣接ノードと当該第１の通信方式に従った無線通信を実行不能な状態であるスリープ状態と、のいずれかに上記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成される。
【発明の効果】
【００３１】
本発明は、以上のように構成されることにより、消費する電力の量を低減しながら、通信先装置と確実に無線通信を実行することができる。
【図面の簡単な説明】
【００３２】
【図１】本発明の第１実施形態に係る無線通信システムの概略構成を表す図である。
【図２】本発明の第１実施形態に係る無線基地局の構成を表すブロック図である。
【図３】本発明の第１実施形態に係る無線基地局が記憶するＲＯＤサポート表を表すテーブルである。
【図４】本発明の第１実施形態に係る無線基地局が実行する接続処理を表すフローチャートである。
【図５】本発明の第１実施形態に係る無線通信システムの作動を表すシーケンス図である。
【図６】本発明の第１実施形態に係る無線通信システムの作動を表すシーケンス図である。
【図７】本発明の第１実施形態に係る無線基地局が実行する設定処理を表すフローチャートである。
【図８】無線端末数と平均通信網収束時間との関係を示したグラフである。
【図９】本発明の第１実施形態の第１変形例に係る無線通信システムの概略構成を表す図である。
【図１０】本発明の第２実施形態に係る無線通信システムの概略構成を表す図である。
【図１１】本発明の第２実施形態に係る制御装置の構成を表すブロック図である。
【図１２】本発明の第２実施形態の第２変形例に係る無線通信システムの概略構成を表す図である。
【図１３】本発明の第２実施形態の第３変形例に係る無線通信システムの概略構成を表す図である。
【図１４】本発明の第３実施形態に係る無線通信システムの概略構成を表す図である。
【図１５】本発明の第４実施形態に係る無線通信装置の概略構成を表す図である。
【発明を実施するための形態】
【００３３】
以下、本発明に係る、無線通信装置、無線通信装置制御方法、無線通信装置制御プログラム、無線通信システム、無線通信システム制御方法、制御装置、制御装置制御方法、及び、制御装置制御プログラム、の各実施形態について図１〜図１５を参照しながら説明する。
【００３４】
＜第１実施形態＞
（構成）
図１に示したように、第１実施形態に係る無線通信システム１は、無線基地局１０と、ＲＯＤ（Ｒａｄｉｏ  ｏｎ  Ｄｅｍａｎｄ）無線端末２０と、非ＲＯＤ無線端末３０と、通信端末４０と、を備える。
【００３５】
本例では、無線基地局１０、ＲＯＤ無線端末２０、及び、非ＲＯＤ無線端末３０は、無線ＬＡＮ（Ｌｏｃａｌ  Ａｒｅａ  Ｎｅｔｗｏｒｋ）（例えば、ＩＥＥＥ８０２．１１ａ、ＩＥＥＥ８０２．１１ｂ、ＩＥＥＥ８０２．１１ｇ、ＩＥＥＥ８０２．１１ｊ、又は、ＩＥＥＥ８０２．１１ｎ等）を構成する。
【００３６】
なお、無線基地局１０、ＲＯＤ無線端末２０、及び、非ＲＯＤ無線端末３０は、移動体通信網、近距離無線通信網（例えば、Ｂｌｕｅｔｏｏｔｈ（登録商標）、及び、ＺｉｇＢｅｅ（登録商標）等）、ＷｉＭＡＸ、ＩＥＥＥ８０２．１１ａｈにより定められる通信網、ＩＥＥＥ１９００．６により定められる通信網等を構成していてもよい。
【００３７】
また、無線基地局１０は、基地局、Ａｃｃｅｓｓ  Ｐｏｉｎｔ、Ｂａｓｅ  Ｓｔａｔｉｏｎ、又は、Ｎｏｄｅ  Ｂとも呼ばれる。また、ＲＯＤ無線端末２０、及び、非ＲＯＤ無線端末３０のそれぞれは、無線端末、又は、Ｓｔａｔｉｏｎとも呼ばれる。
【００３８】
例えば、無線端末２０，３０は、パーソナル・コンピュータ、携帯電話端末、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ、Ｐｅｒｓｏｎａｌ  Ｄｉｇｉｔａｌ  Ａｓｓｉｓｔａｎｔ）、スマートフォン、カーナビゲーション端末、又は、ゲーム端末等である。
【００３９】
無線基地局１０と通信端末４０とは、通信網（本例では、基幹通信網）ＮＷを介して互いに通信可能に接続されている。
ＲＯＤ無線端末２０、及び、非ＲＯＤ無線端末３０のそれぞれは、無線基地局１０と無線通信を行うことにより、無線基地局１０を介して通信端末４０と通信を行う（例えば、通信パケットを送受信する）。
【００４０】
本例では、ＲＯＤ無線端末２０は、第１のユーザにより携帯されている。従って、ＲＯＤ無線端末２０は、第１のユーザの移動に伴って移動する。同様に、非ＲＯＤ無線端末３０は、第２のユーザにより携帯されている。従って、非ＲＯＤ無線端末３０は、第２のユーザの移動に伴って移動する。
【００４１】
なお、無線通信システム１は、複数のＲＯＤ無線端末２０を備えていてもよい。また、無線通信システム１は、複数の非ＲＯＤ無線端末３０を備えていてもよい。
【００４２】
無線基地局１０は、ＲＯＤ無線端末２０、及び、非ＲＯＤ無線端末３０のそれぞれと無線通信を実行可能に構成される。具体的には、無線基地局１０は、無線基地局１０との間の距離が所定の閾値距離よりも短い無線端末２０，３０と無線通信を実行可能に構成される。
【００４３】
ＲＯＤ無線端末２０は、予め定められた起動指示（ウェイクアップ）信号を送信可能に構成される。非ＲＯＤ無線端末３０は、起動指示信号を送信不能に構成される。
なお、無線基地局１０は、無線通信装置を構成している。また、ＲＯＤ無線端末２０、及び、非ＲＯＤ無線端末３０のそれぞれは、通信先装置を構成している。
【００４４】
より具体的に述べると、図２に示したように、無線基地局１０は、第１の通信制御部１１と、第２の通信制御部１２と、起動指示信号受信部１３と、パケット転送部１４と、状態制御部（対応情報取得手段）１５と、電力供給部１６と、を備える。
【００４５】
第１の通信制御部１１は、第１の通信方式に従った無線通信を実行するように構成される。本例では、第１の通信方式は、ＤＳＳＳ（Ｄｉｒｅｃｔ  Ｓｅｑｕｅｎｃｅ  Ｓｐｒｅａｄ  Ｓｐｅｃｔｒｕｍ）、ＣＣＫ（Ｃｏｍｐｌｅｍｅｎｔａｒｙ  Ｃｏｄｅ  Ｋｅｙｉｎｇ）、又は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）等である。
【００４６】
本例では、第１の通信方式は、周波数帯域として、２．４ＧＨｚ帯、又は、５ＧＨｚ帯を用いる。
第１の通信制御部１１は、無線端末２０，３０のそれぞれと無線通信を実行する。
【００４７】
更に、第１の通信制御部１１は、予め設定された送信周期が経過する毎に、無線基地局１０と無線通信可能であることを通知するためのビーコン信号（Ｂｅａｃｏｎフレーム）を送信する。本例では、ビーコン信号は、無線基地局１０を識別するための識別子（例えば、ＥＳＳＩＤ（Ｅｘｔｅｎｄｅｄ  Ｓｅｒｖｉｃｅ  Ｓｅｔ  Ｉｄｅｎｔｉｆｉｅｒ）、又は、ＢＳＳＩＤ（Ｂａｓｉｃ  Ｓｅｒｖｉｃｅ  Ｓｅｔ  Ｉｄｅｎｔｉｆｉｅｒ）等）を含む。
【００４８】
第２の通信制御部１２は、有線通信（通信ケーブルを介した通信）を実行するように構成される。第２の通信制御部１２は、通信網ＮＷを介して通信端末４０と通信を実行する。
【００４９】
なお、無線基地局１０は、２つの通信制御部（第１の通信制御部１１、及び、第２の通信制御部１２）を備えるが、３つ以上の通信制御部を備えていてもよい。
【００５０】
起動指示信号受信部１３は、第２の通信方式に従った起動指示信号を受信するように構成される。第２の通信方式は、信号を受信するために必要とされる電力が第１の通信方式よりも小さい通信方式である。
【００５１】
本例では、第２の通信方式は、ＯＯＫ（Ｏｎ  Ｏｆｆ  Ｋｅｙｉｎｇ）、ＡＳＫ（Ａｍｐｌｉｔｕｄｅ  Ｓｈｉｆｔ  Ｋｅｙｉｎｇ）、又は、ＦＳＫ（Ｆｒｅｑｕｅｎｃｙ  Ｓｈｉｆｔ  Ｋｅｙｉｎｇ）等である。本例では、第２の通信方式は、周波数帯域として、第１の通信方式と同じ周波数帯域を用いる。
【００５２】
パケット転送部１４は、第１の通信制御部１１を介して受信されたパケットを第２の通信制御部１２を介して送信するように構成される。更に、パケット転送部１４は、第２の通信制御部１２を介して受信されたパケットを第１の通信制御部１１を介して送信するように構成される。
【００５３】
また、パケット転送部１４は、第１の通信制御部１１を介して、後述する対応可能通知が受信された場合、受信された対応可能通知を状態制御部１５へ出力する。
【００５４】
状態制御部１５は、ＲＯＤサポート表記憶部１５１を有する。ＲＯＤサポート表記憶部１５１は、図３に示したように、対応情報を含むＲＯＤサポート表を記憶する。１つの対応情報は、無線端末を識別するための無線端末識別情報と、ＲＯＤ情報と、を含む。
【００５５】
ＲＯＤ情報は、起動指示信号を送信可能であるか否かを表す情報である。本例では、ＲＯＤ情報としての「ＲＯＤ可」は、起動指示信号を送信可能である旨を表す。更に、ＲＯＤ情報としての「ＲＯＤ不可」は、起動指示信号を送信不能である旨を表す。
【００５６】
状態制御部１５は、第１の通信制御部１１を介して、無線端末２０，３０のそれぞれへ通知送信要求を送信する。通知送信要求は、対応可能通知の送信を要求する情報である。対応可能通知は、起動指示信号を送信可能であることを表す情報である。
【００５７】
ＲＯＤ無線端末２０は、無線基地局１０から通知送信要求を受信した場合、対応可能通知を無線基地局１０へ送信する。一方、非ＲＯＤ無線端末３０は、対応可能通知を送信しない。
【００５８】
状態制御部１５は、送信した通知送信要求に応じて、予め設定された待機時間内に、無線端末２０，３０から対応可能通知をパケット転送部１４を介して受信した場合、当該無線端末２０，３０に対して当該無線端末２０，３０が起動指示信号を送信可能である（ＲＯＤ対応装置である）ことを表す対応情報を取得する。
【００５９】
一方、状態制御部１５は、送信した通知送信要求に応じて、上記待機時間内に、無線端末２０，３０から対応可能通知を受信しなかった場合、当該無線端末２０，３０に対して当該無線端末２０，３０が起動指示信号を送信不能である（ＲＯＤ非対応装置である）ことを表す対応情報を取得する。
【００６０】
このようにして、状態制御部１５は、無線端末２０，３０のそれぞれに対して対応情報を取得する。そして、状態制御部１５は、取得された対応情報をＲＯＤサポート表記憶部１５１に記憶させる。
【００６１】
電力供給部１６は、第１の通信制御部１１、第２の通信制御部１２、起動指示信号受信部１３、パケット転送部１４、及び、状態制御部１５のそれぞれへ、電力供給線を介して電力を供給可能に構成される。電力供給部１６は、第１の通信制御部１１へ電力を供給する電力供給状態と、第１の通信制御部１１への電力の供給を中止する電力遮断状態と、に状態が切り替わるように構成されている。
【００６２】
なお、電力供給部１６の状態が電力供給状態に設定されることは、無線基地局１０の状態が起動状態に設定されることに対応している。更に、電力供給部１６の状態が電力遮断状態に設定されることは、無線基地局１０の状態がスリープ状態に設定されることに対応している。
【００６３】
更に、無線基地局１０は、ＲＯＤモード、及び、非ＲＯＤモードのいずれかの作動モードにて作動するように構成される。
【００６４】
無線基地局１０が非ＲＯＤモードにて作動する場合、無線基地局１０は、常時、無線基地局１０の状態を起動状態に設定する。更に、無線基地局１０が非ＲＯＤモードにて作動する場合、無線基地局１０は、予め定められた第１の省電力条件が成立しない場合、送信周期を第１の送信周期に設定し、一方、第１の省電力条件が成立する場合、送信周期を第１の送信周期よりも長い第２の送信周期に設定する。
【００６５】
例えば、第１の省電力条件は、現時点よりも、予め設定された第１の閾値時間だけ前の時点から、現時点までの間に、無線通信が行われていない、という条件である。
【００６６】
無線基地局１０が非ＲＯＤモードにて作動する場合、無線基地局１０は、予め定められた第２の省電力条件が成立する場合、作動停止通知を送信するとともに、無線基地局１０への電力の供給を遮断する。
【００６７】
ここで、作動停止通知は、無線基地局１０が作動を停止する予定であることを通知するための情報である。また、第２の省電力条件は、現時点よりも、予め設定された第２の閾値時間だけ前の時点から、現時点までの間に、無線通信が行われていない、という条件である。例えば、第２の閾値時間は、第１の閾値時間よりも長いことが好適である。
例えば、無線基地局１０は、ＩＥＥＥ８０２．１１ｖ（ＢＳＳ  Ｔｒａｎｓｉｔｉｏｎ  Ｍａｎａｇｅｍｅｎｔ）により定められた方法を用いてもよい。
【００６８】
また、無線基地局１０がＲＯＤモードにて作動する場合、無線基地局１０は、起動状態とスリープ状態とのいずれかに無線基地局１０の状態を設定する。
【００６９】
更に、無線基地局１０がＲＯＤモードにて作動する場合、無線基地局１０は、無線基地局１０の状態が起動状態であり、且つ、予め定められたスリープ条件が成立したとき、無線基地局１０の状態をスリープ状態に設定する。例えば、スリープ条件は、現時点よりも、予め設定された第３の閾値時間だけ前の時点から、現時点までの間に、無線通信が行われていない、という条件である。
【００７０】
加えて、無線基地局１０がＲＯＤモードにて作動する場合、無線基地局１０は、無線基地局１０の状態がスリープ状態であり、且つ、起動指示信号が受信されたとき、無線基地局１０の状態を起動状態に設定する。
【００７１】
状態制御部１５は、予め定められた設定タイミングにて（例えば、予め設定された周期が経過する毎に、又は、ＲＯＤサポート表記憶部１５１に記憶されているＲＯＤサポート表が変更される毎に）、作動モードを、ＲＯＤモード又は非ＲＯＤモードに設定する。
【００７２】
具体的には、状態制御部１５は、ＲＯＤサポート表記憶部１５１に記憶されている、すべての対応情報のそれぞれが、ＲＯＤ情報として「ＲＯＤ可」を含む場合（即ち、取得された対応情報が、無線端末２０，３０のすべてがＲＯＤ対応装置であることを表す場合）、作動モードをＲＯＤモードに設定する。これにより、無線基地局１０は、設定された作動モード（ＲＯＤモード）にて作動する。
【００７３】
一方、状態制御部１５は、ＲＯＤサポート表記憶部１５１に記憶されている対応情報の少なくとも１つが、ＲＯＤ情報として「ＲＯＤ不可」を含む場合（即ち、取得された対応情報が、無線端末２０，３０の少なくとも１つがＲＯＤ非対応装置であることを表す場合）、作動モードを非ＲＯＤモードに設定する。これにより、無線基地局１０は、設定された作動モード（非ＲＯＤモード）にて作動する。
【００７４】
（作動）
次に、上述した無線通信システム１の作動について説明する。
無線基地局１０は、無線基地局１０の状態が起動状態に設定されている場合、図４にフローチャートにより示した接続処理を、送信周期が経過する毎に実行するようになっている。
【００７５】
具体的には、無線基地局１０は、接続処理の実行を開始すると、ビーコン信号を送信する（ステップＳ１０１）。このビーコン信号は、ＲＯＤサポート情報を含む。ＲＯＤサポート情報は、ＲＯＤ機能をサポートする旨を表す情報である。ＲＯＤ機能は、ＲＯＤモードにて無線基地局１０を作動可能な機能である。
【００７６】
なお、無線基地局１０は、無線端末２０，３０から探査要求（Ｐｒｏｂｅ  Ｒｅｑｕｅｓｔフレーム）を受信した場合、当該無線端末２０，３０へ探査応答（Ｐｒｏｂｅ  Ｒｅｓｐｏｎｓｅフレーム）を送信し、その後、ステップＳ１０２〜ステップＳ１１１の処理を実行する接続処理も実行するようになっている。探査応答も、ＲＯＤサポート情報を含む。
【００７７】
一方、ＲＯＤ無線端末２０は、無線基地局１０からビーコン信号を受信する。ＲＯＤ無線端末２０は、受信したビーコン信号がＲＯＤサポート情報を含む場合、対応可能通知を含む接続要求（Ａｓｓｏｃｉａｔｉｏｎ  Ｒｅｑｕｅｓｔフレーム）を無線基地局１０へ送信する。
【００７８】
なお、ＲＯＤ無線端末２０は、受信したビーコン信号がＲＯＤサポート情報を含まない場合、対応可能通知を含まない接続要求を送信する。また、ＲＯＤ無線端末２０は、受信したビーコン信号がＲＯＤサポート情報を含む場合であっても、対応可能通知を含まない接続要求を送信するように構成されていてもよい。
【００７９】
また、非ＲＯＤ無線端末３０は、無線基地局１０からビーコン信号を受信する。非ＲＯＤ無線端末３０は、受信したビーコン信号がＲＯＤサポート情報を含むか否かにかかわらず、対応可能通知を含まない接続要求を無線基地局１０へ送信する。
【００８０】
先ず、無線基地局１０がＲＯＤ無線端末２０から対応可能通知を含む接続要求を受信した場合について説明する。
【００８１】
この場合、無線基地局１０は、ステップＳ１０２にて接続要求を受信したか否かを判定すると、「Ｙｅｓ」と判定してステップＳ１０３へ進む。そして、無線基地局１０は、接続要求を送信してきた無線端末（ＲＯＤ無線端末２０）と、無線基地局１０と、の間で接続が既に確立されている（接続が確立済みである）か否かを判定する。
【００８２】
この時点では、無線基地局１０とＲＯＤ無線端末２０との間で接続が確立されていないので、無線基地局１０は、「Ｎｏ」と判定してステップＳ１０４へ進む。そして、無線基地局１０は、接続要求を送信してきた無線端末（ＲＯＤ無線端末２０）がＲＯＤ対応装置である（接続要求に対応可能通知が含まれている）か否かを判定する。
【００８３】
従って、無線基地局１０は、「Ｙｅｓ」と判定してステップＳ１０５へ進み、接続要求を送信してきた無線端末（ＲＯＤ無線端末２０）を識別するための無線端末識別情報と、「ＲＯＤ可」であるＲＯＤ情報と、を含む対応情報を新たに記憶する（即ち、ＲＯＤサポート表に追加する）。
【００８４】
その後、無線基地局１０は、接続応答（Ａｓｓｏｃｉａｔｉｏｎ  Ｒｅｓｐｏｎｓｅフレーム）を、接続要求を送信してきた無線端末（ＲＯＤ無線端末２０）へ送信する（ステップＳ１０６）。その後、無線基地局１０は、図４に示した接続処理の実行を終了する。
【００８５】
次に、無線基地局１０がＲＯＤ無線端末２０から対応可能通知を含まない接続要求を受信した場合について説明する。図５は、この場合における、無線基地局１０及びＲＯＤ無線端末２０の作動の概要を示したシーケンス図である。
【００８６】
この場合、上述した場合と同様に、無線基地局１０は、ビーコン信号を送信する（図４のステップＳ１０１、及び、図５のステップＳ２０１）。
【００８７】
そして、ＲＯＤ無線端末２０は、対応可能通知を含まない接続要求を無線基地局１０へ送信する（図５のステップＳ２０２）。従って、無線基地局１０は、ステップＳ１０４に進んだとき、「Ｎｏ」と判定してステップＳ１０７へ進む。
【００８８】
そして、無線基地局１０は、接続要求を送信してきた無線端末（ＲＯＤ無線端末２０）へ、通知送信要求を送信する（図５のステップＳ２０３）。
【００８９】
一方、ＲＯＤ無線端末２０は、無線基地局１０から通知送信要求を受信する。ＲＯＤ無線端末２０は、通知送信要求を受信した場合、対応可否通知としての対応可能通知を無線基地局１０へ送信する（図５のステップＳ２０４）。
【００９０】
ここで、対応可否通知は、対応可能通知、又は、対応不能通知である。対応不能通知は、起動指示信号を送信不能であることを表す情報である。これにより、無線基地局１０は、ＲＯＤ無線端末２０から対応可否通知を受信する。
【００９１】
従って、無線基地局１０は、ステップＳ１０８にて、通知送信要求を送信してから待機時間が経過するまでの間に対応可否通知を受信したか否かを判定すると、「Ｙｅｓ」と判定してステップＳ１０９へ進む。そして、無線基地局１０は、接続要求を送信してきた無線端末（ＲＯＤ無線端末２０）がＲＯＤ対応装置である（通知送信要求に応じて対応可能通知が受信された）か否かを判定する。
【００９２】
従って、無線基地局１０は、「Ｙｅｓ」と判定してステップＳ１１０へ進み、接続要求を送信してきた無線端末（ＲＯＤ無線端末２０）を識別するための無線端末識別情報と、「ＲＯＤ可」であるＲＯＤ情報と、を含む対応情報を新たに記憶する（図５のステップＳ２０５）。
【００９３】
その後、無線基地局１０は、接続応答を、接続要求を送信してきた無線端末（ＲＯＤ無線端末２０）へ送信する（ステップＳ１０６）。その後、無線基地局１０は、図４に示した接続処理の実行を終了する。
【００９４】
次に、無線基地局１０が非ＲＯＤ無線端末３０から対応可能通知を含まない接続要求を受信した場合について説明する。図６は、この場合における、無線基地局１０及び非ＲＯＤ無線端末３０の作動の概要を示したシーケンス図である。
【００９５】
この場合、上述した場合と同様に、無線基地局１０は、ビーコン信号を送信する（図４のステップＳ１０１、及び、図６のステップＳ３０１）。
【００９６】
そして、非ＲＯＤ無線端末３０は、対応可能通知を含まない接続要求を無線基地局１０へ送信する（図６のステップＳ３０２）。従って、無線基地局１０は、ステップＳ１０４に進んだとき、「Ｎｏ」と判定してステップＳ１０７へ進む。
【００９７】
そして、無線基地局１０は、接続要求を送信してきた無線端末（非ＲＯＤ無線端末３０）へ、通知送信要求を送信する（図６のステップＳ３０３）。
【００９８】
一方、非ＲＯＤ無線端末３０は、無線基地局１０から通知送信要求を受信する。非ＲＯＤ無線端末３０は、通知送信要求を受信した場合であっても、対応可否通知を送信しない。なお、非ＲＯＤ無線端末３０は、通知送信要求を受信した場合、対応可否通知としての対応不能通知を無線基地局１０へ送信するように構成されていてもよい。
【００９９】
従って、無線基地局１０は、ステップＳ１０８にて、通知送信要求を送信してから待機時間が経過するまでの間に対応可否通知を受信したか否かを判定すると、「Ｎｏ」と判定してステップＳ１１１へ進む。
【０１００】
そして、無線基地局１０は、接続要求を送信してきた無線端末（非ＲＯＤ無線端末３０）を識別するための無線端末識別情報と、「ＲＯＤ不可」であるＲＯＤ情報と、を含む対応情報を新たに記憶する（図６のステップＳ３０４）。
【０１０１】
その後、無線基地局１０は、接続応答を、接続要求を送信してきた無線端末（非ＲＯＤ無線端末３０）へ送信する（ステップＳ１０６）。その後、無線基地局１０は、図４に示した接続処理の実行を終了する。
【０１０２】
なお、無線基地局１０は、非ＲＯＤ無線端末３０から対応可否通知としての対応不能通知を受信した場合、ステップＳ１０８にて「Ｙｅｓ」と判定し、ステップＳ１０９にて「Ｎｏ」と判定してステップＳ１１１へ進む。この場合も、無線基地局１０は、接続要求を送信してきた無線端末（非ＲＯＤ無線端末３０）を識別するための無線端末識別情報と、「ＲＯＤ不可」であるＲＯＤ情報と、を含む対応情報を新たに記憶する。
【０１０３】
また、接続要求を送信してきた無線端末と無線基地局１０との間で既に接続が確立されている場合、無線基地局１０は、ステップＳ１０３にて「Ｙｅｓ」と判定して、図４に示した接続処理の実行を終了する。
【０１０４】
また、ビーコン信号を送信してから、予め設定されたタイムアウト時間が経過するまでに、接続要求が受信されなかった場合、無線基地局１０は、ステップＳ１０２にて「Ｎｏ」と判定して、図４に示した接続処理の実行を終了する。
【０１０５】
更に、無線基地局１０の状態が起動状態に設定されている場合において、図７にフローチャートにより示した設定処理を、設定タイミングにて（本例では、ＲＯＤサポート表記憶部１５１に記憶されているＲＯＤサポート表が変更される毎に）、実行するようになっている。
【０１０６】
具体的には、無線基地局１０は、設定処理の実行を開始すると、ＲＯＤサポート表記憶部１５１に記憶されているＲＯＤサポート表を走査する（即ち、ＲＯＤサポート表記憶部１５１に記憶されている対応情報を取得する）（ステップＳ４０１）。
【０１０７】
そして、無線基地局１０は、無線基地局１０と無線通信を実行可能な（即ち、接続要求を送信してきた）無線端末のすべてが、起動指示信号を送信可能であるか否かを判定する。即ち、無線基地局１０は、ＲＯＤサポート表に含まれる対応情報のすべてが、ＲＯＤ情報として「ＲＯＤ可」を含むか否かを判定する。
【０１０８】
いま、ＲＯＤ無線端末２０及び非ＲＯＤ無線端末３０の両方が、無線基地局１０へ接続要求を送信した場合を想定する。この場合、ＲＯＤサポート表に含まれる対応情報は、ＲＯＤ情報として「ＲＯＤ可」を含む第１の対応情報と、ＲＯＤ情報として「ＲＯＤ不可」を含む第２の対応情報と、を含む。
【０１０９】
従って、無線基地局１０は、「Ｎｏ」と判定してステップＳ４０４へ進み、無線基地局１０の作動モードを非ＲＯＤモードに設定する。そして、無線基地局１０は、図７に示した設定処理の実行を終了する。
【０１１０】
また、ＲＯＤ無線端末２０のみが、無線基地局１０へ接続要求を送信した場合を想定する。この場合、ＲＯＤサポート表に含まれる対応情報は、ＲＯＤ情報として「ＲＯＤ可」を含む第１の対応情報のみを含む。
【０１１１】
従って、無線基地局１０は、ステップＳ４０３にて「Ｙｅｓ」と判定してステップＳ４０３へ進み、無線基地局１０の作動モードをＲＯＤモードに設定する。そして、無線基地局１０は、図７に示した設定処理の実行を終了する。
【０１１２】
また、非ＲＯＤ無線端末３０のみが、無線基地局１０へ接続要求を送信した場合を想定する。この場合、ＲＯＤサポート表に含まれる対応情報は、ＲＯＤ情報として「ＲＯＤ不可」を含む第２の対応情報のみを含む。
【０１１３】
従って、無線基地局１０は、ステップＳ４０３にて「Ｎｏ」と判定してステップＳ４０４へ進み、無線基地局１０の作動モードを非ＲＯＤモードに設定する。そして、無線基地局１０は、図７に示した設定処理の実行を終了する。
【０１１４】
以上、説明したように、本発明の第１実施形態に係る無線基地局１０は、ＲＯＤモード、及び、非ＲＯＤモードのいずれかの作動モードにて作動するように構成される。
【０１１５】
これによれば、起動指示信号を送信可能な通信先装置（本例では、ＲＯＤ無線端末２０）と、起動指示信号を送信不能な通信先装置（本例では、非ＲＯＤ無線端末３０）と、が混在している場合においても、無線基地局１０が消費する電力の量を低減しながら、通信先装置と確実に無線通信を実行することができる。
【０１１６】
更に、本発明の第１実施形態に係る無線基地局１０は、通知送信要求を通信先装置のそれぞれへ送信するように構成される。加えて、無線基地局１０は、当該送信された通知送信要求に応じて当該通信先装置から当該対応可能通知を受信した場合、当該通信先装置に対して当該通信先装置がＲＯＤ対応装置であることを表す対応情報を取得するように構成される。更に、無線基地局１０は、当該送信された通知送信要求に応じて当該通信先装置から当該対応可能通知を受信しなかった場合、当該通信先装置に対して当該通信先装置がＲＯＤ非対応装置であることを表す対応情報を取得するように構成される。
【０１１７】
これによれば、すべての通信先装置に対する対応情報を確実に取得することができる。
【０１１８】
加えて、本発明の第１実施形態に係る無線基地局１０において、非ＲＯＤモードは、第１の省電力条件が成立しない場合、送信周期を第１の送信周期に設定し、一方、当該第１の省電力条件が成立する場合、当該送信周期を当該第１の送信周期よりも長い第２の送信周期に設定するように構成される。
【０１１９】
これによれば、無線基地局１０が非ＲＯＤモードにて作動している場合においても、無線基地局１０が消費する電力の量を低減することができる。
【０１２０】
更に、本発明の第１実施形態に係る無線基地局１０において、非ＲＯＤモードは、第２の省電力条件が成立する場合、無線基地局１０が作動を停止する予定であることを通知するための作動停止通知を送信するとともに、無線基地局１０への電力の供給を遮断するように構成される。
【０１２１】
これによれば、無線基地局１０が非ＲＯＤモードにて作動している場合においても、無線基地局１０が消費する電力の量を低減することができる。
【０１２２】
更に、本発明の第１実施形態に係る無線基地局１０が奏する効果について図８を参照しながら説明する。図８は、無線基地局１０と無線通信可能な無線端末の数（無線端末数）と、平均通信網収束時間と、の関係を示したグラフである。
【０１２３】
平均通信網収束時間は、無線端末と無線基地局１０との間で接続が確立された後、無線端末と無線基地局１０との間で無線通信が行われなくなってから、通信網ＮＷが安定するまでに要する平均時間を表す。
【０１２４】
無線端末のうちの起動指示信号を送信可能な無線端末は、ＲＯＤ対応装置と呼ばれる。また、無線端末のうちの起動指示信号を送信不能な無線端末は、ＲＯＤ非対応装置と呼ばれる。
【０１２５】
ところで、無線端末数が比較的大きくなると、通信網ＮＷは収束しなくなる。従って、図８においても、無線端末数が大きくなるにつれて、平均通信網収束時間は、大きくなる。
また、平均通信網収束時間が大きくなるほど、無線基地局１０の状態がスリープ状態に設定される時間が短くなる。従って、平均通信網収束時間が大きくなるほど、無線基地局１０が消費する電力の量は、大きくなる。
【０１２６】
図８において、実線Ｃ１は、第１実施形態に係る無線基地局１０と、ＲＯＤ対応装置及びＲＯＤ非対応装置の両方を含む無線端末と、を備える比較例に係る無線通信システムに対するグラフである。
【０１２７】
また、一点鎖線Ｃ２は、ユーザにより入力された指示に従って作動モードを設定するように構成された無線基地局と、ＲＯＤ対応装置及びＲＯＤ非対応装置の両方を含む無線端末と、を備える第１の比較例に係る無線通信システムに対するグラフである。
【０１２８】
また、点線Ｃ３は、常時、ＲＯＤモードにて作動する無線基地局と、ＲＯＤ対応装置のみを含む無線端末と、を備える第２の比較例に係る無線通信システムに対するグラフである。
【０１２９】
第２の比較例においては、無線基地局が、常時、ＲＯＤモードにて作動する。従って、ＲＯＤ非対応装置が無線基地局と無線通信を実行できない場合が生じる。
【０１３０】
また、第１の比較例においては、ユーザが指示を入力することにより作動モードを変更する遅延時間が余分に発生する。従って、第１の比較例においては、同一の無線端末数に対する平均通信網収束時間は、第１実施形態よりも大きくなる。
【０１３１】
このように、第１実施形態に係る無線基地局１０によれば、平均通信網収束時間をより短くすることができるので、無線基地局１０が消費する電力の量を小さくすることができる。更に、第１実施形態に係る無線基地局１０によれば、ＲＯＤ非対応装置とも確実に無線通信を行うことができる。
【０１３２】
なお、第１実施形態に係る無線基地局１０において、電力供給部１６は、第１の通信制御部１１への電力の供給を中止している場合にのみ、起動指示信号受信部１３へ電力を供給するように構成されていてもよい。
【０１３３】
また、第１実施形態の第１変形例に係る無線通信システム１Ａは、図９に示したように、ホームゲートウェイ５１と、テレビ５２と、携帯ゲーム機５３と、ルータ５４と、火災報知器５５と、ガス漏れ検知器５６と、を備える。
【０１３４】
本例では、ホームゲートウェイ５１、テレビ５２、携帯ゲーム機５３、及び、ルータ５４は、第１の通信網ＮＷ１（本例では、無線ＬＡＮ）を構成する。なお、第１の通信網ＮＷ１は、移動体通信網、近距離無線通信網、又は、ＷｉＭＡＸ等であってもよい。
ホームゲートウェイ５１は、インターネット網ＮＷＷに接続されている。
【０１３５】
また、ルータ５４、火災報知器５５、及び、ガス漏れ検知器５６は、第２の通信網ＮＷ２（本例では、有線ＬＡＮ）を構成する。なお、第２の通信網ＮＷ２は、無線ＬＡＮ、移動体通信網、近距離無線通信網、又は、ＷｉＭＡＸ等であってもよい。
【０１３６】
即ち、ルータ５４は、ホームゲートウェイ５１と、テレビ５２、携帯ゲーム機５３、及び、ルータ５４と、により構成される第１の通信網ＮＷ１に加えて、第１の通信網ＮＷ１と異なる第２の通信網ＮＷ２を構成する装置である、と言うことができる。
【０１３７】
ホームゲートウェイ５１は、第１実施形態に係る無線基地局１０と同様の構成を有する。また、テレビ５２、携帯ゲーム機５３、及び、ルータ５４のそれぞれは、第１実施形態に係るＲＯＤ無線端末２０又は非ＲＯＤ無線端末３０と同様の構成を有する。
【０１３８】
この第１変形例に係る無線通信システム１Ａによっても、第１実施形態に係る無線通信システム１と同様の作用及び効果を奏することができる。
【０１３９】
＜第２実施形態＞
次に、本発明の第２実施形態に係る無線通信システムについて説明する。第２実施形態に係る無線通信システムは、上記第１実施形態に係る無線通信システムに対して、複数の無線通信装置と、各無線通信装置の作動モードを設定する制御装置と、を備える点において相違している。従って、以下、かかる相違点を中心として説明する。
【０１４０】
第２実施形態に係る無線通信システム２は、図１０に示したように、制御装置（ネットワーク・コントローラ）６１と、複数（本例では、３つ）の無線基地局６２ａ，６２ｂ，６２ｃと、複数（本例では、３つ）の無線端末６３ａ，６３ｂ，６３ｃと、を備える。
【０１４１】
なお、無線通信システム２は、１つ、２つ、又は、４つ以上の無線基地局を備えていてもよい。また、無線通信システム２は、１つ、２つ、又は、４つ以上の無線端末を備えていてもよい。また、無線基地局６２ａ，６２ｂ，６２ｃは、ルータ、又は、ＬＡＮスイッチであってもよい。
【０１４２】
制御装置６１と、複数の無線基地局６２ａ，６２ｂ，６２ｃのそれぞれと、は通信網ＮＷ３を介して互いに通信可能に接続されている。なお、制御装置６１は、複数の無線基地局６２ａ，６２ｂ，６２ｃのそれぞれと直接に接続されていてもよい。
【０１４３】
複数の無線基地局６２ａ，６２ｂ，６２ｃのそれぞれは、複数の無線端末６３ａ，６３ｂ，６３ｃのそれぞれと無線通信を実行可能に構成される。具体的には、複数の無線基地局６２ａ，６２ｂ，６２ｃのそれぞれは、当該無線基地局との間の距離が所定の閾値距離よりも短い無線端末６３ａ，６３ｂ，６３ｃと無線通信を実行可能に構成される。
【０１４４】
複数の無線端末６３ａ，６３ｂ，６３ｃのそれぞれは、起動指示信号を送信可能なＲＯＤ対応装置、又は、起動指示信号を送信不能なＲＯＤ非対応装置である。
なお、複数の無線基地局６２ａ，６２ｂ，６２ｃのそれぞれは、無線通信装置を構成している。また、複数の無線端末６３ａ，６３ｂ，６３ｃのそれぞれは、通信先装置を構成している。
【０１４５】
本例では、複数の無線端末６３ａ，６３ｂ，６３ｃのそれぞれは、異なるユーザにより携帯されている。従って、各無線端末６３ａ，６３ｂ，６３ｃは、当該無線端末を携帯するユーザの移動に伴って移動する。
【０１４６】
複数の無線基地局６２ａ，６２ｂ，６２ｃのそれぞれは、ＲＯＤモード、及び、非ＲＯＤモードのいずれかの作動モードにて作動するように構成される。即ち、複数の無線基地局６２ａ，６２ｂ，６２ｃのそれぞれは、ＲＯＤ装置である。
【０１４７】
複数の無線基地局６２ａ，６２ｂ，６２ｃのそれぞれのＲＯＤモードにおける作動は、第１実施形態に係る無線基地局１０のＲＯＤモードにおける作動と同様である。また、複数の無線基地局６２ａ，６２ｂ，６２ｃのそれぞれの非ＲＯＤモードにおける作動は、第１実施形態に係る無線基地局１０の非ＲＯＤモードにおける作動と同様である。
【０１４８】
複数の無線基地局６２ａ，６２ｂ，６２ｃのそれぞれは、第１実施形態に係る無線基地局１０と同様に、図４に示した接続処理を実行する。従って、複数の無線基地局６２ａ，６２ｂ，６２ｃのそれぞれは、自局と無線通信可能な無線端末のそれぞれに対して対応情報を取得し、取得された対応情報をＲＯＤサポート表に追加する。
【０１４９】
複数の無線基地局６２ａ，６２ｂ，６２ｃのそれぞれは、予め定められた設定タイミングにて（例えば、予め設定された周期が経過する毎に、又は、ＲＯＤサポート表記憶部１５１に記憶されているＲＯＤサポート表が変更される毎に）、図７に示した設定処理を実行することに代えて、ＲＯＤサポート表を制御装置６１へ送信する。
【０１５０】
また、複数の無線基地局６２ａ，６２ｂ，６２ｃのそれぞれは、制御装置６１から作動モード設定情報を受信する。作動モード設定情報は、ＲＯＤモードを表す情報、又は、非ＲＯＤモードを表す情報である。複数の無線基地局６２ａ，６２ｂ，６２ｃのそれぞれは、作動モード設定情報を受信した場合、作動モードを、作動モード設定情報が表す作動モードに設定する。
【０１５１】
一方、制御装置６１は、図１１に示したように、ＲＯＤサポート表受信部６１ａと、作動モード決定部６１ｂと、作動モード設定情報送信部６１ｃと、を備える。ＲＯＤサポート表受信部６１ａは、対応情報取得手段を構成している。また、作動モード決定部６１ｂ及び作動モード設定情報送信部６１ｃは、作動モード設定手段を構成している。
【０１５２】
ＲＯＤサポート表受信部６１ａは、複数の無線端末６３ａ，６３ｂ，６３ｃのそれぞれからＲＯＤサポート表を受信する。ＲＯＤサポート表受信部６１ａは、受信されたＲＯＤサポート表を、当該ＲＯＤサポート表を送信してきた無線端末を識別するための情報と対応付けて記憶する。
【０１５３】
作動モード決定部６１ｂは、複数の無線端末６３ａ，６３ｂ，６３ｃのそれぞれに対して、ＲＯＤサポート表受信部６１ａに記憶されているＲＯＤサポート表に基づいて作動モードを決定する。具体的には、作動モード決定部６１ｂは、作動モードを決定する対象となる無線端末（対象無線端末）を識別するための情報と対応付けて記憶されているＲＯＤサポート表に基づいて、対象無線端末の作動モードを決定する。
【０１５４】
作動モード決定部６１ｂは、第１実施形態に係る無線基地局１０と同様に、ＲＯＤサポート表に含まれる、すべての対応情報のそれぞれが、ＲＯＤ情報として「ＲＯＤ可」を含む場合、作動モードとしてＲＯＤモードを決定する。一方、作動モード決定部６１ｂは、第１実施形態に係る無線基地局１０と同様に、ＲＯＤサポート表に含まれる対応情報の少なくとも１つが、ＲＯＤ情報として「ＲＯＤ不可」を含む場合、作動モードとして非ＲＯＤモードを決定する。
【０１５５】
作動モード設定情報送信部６１ｃは、作動モード決定部６１ｂにより決定された作動モードを表す作動モード設定情報を、当該作動モードを決定する対象となった無線端末へ送信する。
【０１５６】
即ち、制御装置６１は、複数の無線基地局６２ａ，６２ｂ，６２ｃのそれぞれに対して、独立に、図７に示した設定処理を実行する。なお、第２実施形態においては、当該設定処理にて、制御装置６１は、作動モード設定情報を無線基地局へ送信することにより、当該無線基地局の作動モードを設定する。
【０１５７】
従って、例えば、複数の無線端末６３ａ，６３ｂ，６３ｃのすべてがＲＯＤ対応装置である場合、制御装置６１は、複数の無線基地局６２ａ，６２ｂ，６２ｃのすべての作動モードをＲＯＤモードに設定する。
【０１５８】
また、例えば、無線端末６３ａ、及び、無線端末６３ｂのそれぞれがＲＯＤ対応装置であり、且つ、無線端末６３ｃがＲＯＤ非対応装置である場合を想定する。更に、無線端末６３ａ、及び、無線端末６３ｂのそれぞれが無線基地局６２ａと無線通信可能であり、且つ、無線端末６３ｃが無線基地局６２ｃと無線通信可能である場合を想定する。この場合、制御装置６１は、無線基地局６２ａ、及び、無線基地局６２ｂのそれぞれの作動モードをＲＯＤモードに設定し、且つ、無線基地局６２ｃの作動モードを非ＲＯＤモードに設定する。
【０１５９】
このように、第２実施形態に係る無線通信システム２によっても、第１実施形態に係る無線通信システム１と同様の作用及び効果を奏することができる。
【０１６０】
なお、無線通信システム２は、非ＲＯＤモードのみにて作動するように構成された非ＲＯＤ装置としての無線基地局を更に備えていてもよい。
【０１６１】
次に、第２実施形態の第１変形例に係る無線通信システム２について説明する。この第１変形例に係る制御装置６１は、複数の無線基地局６２ａ，６２ｂ，６２ｃのすべての作動モードを同一の作動モードに設定する。
【０１６２】
具体的には、制御装置６１は、記憶しているＲＯＤサポート表のすべてに含まれるすべての対応情報のそれぞれが、ＲＯＤ情報として「ＲＯＤ可」を含む場合、作動モードとしてＲＯＤモードを決定する。一方、制御装置６１は、記憶しているＲＯＤサポート表のすべてに含まれる対応情報の少なくとも１つが、ＲＯＤ情報として「ＲＯＤ不可」を含む場合、作動モードとして非ＲＯＤモードを決定する。
【０１６３】
そして、制御装置６１は、決定された作動モードを表す作動モード設定情報を、複数の無線端末６３ａ，６３ｂ，６３ｃのそれぞれへ送信する。
【０１６４】
従って、例えば、複数の無線端末６３ａ，６３ｂ，６３ｃのすべてがＲＯＤ対応装置である場合、制御装置６１は、複数の無線基地局６２ａ，６２ｂ，６２ｃのすべての作動モードをＲＯＤモードに設定する。
【０１６５】
また、例えば、無線端末６３ａ、及び、無線端末６３ｂのそれぞれがＲＯＤ対応装置であり、且つ、無線端末６３ｃがＲＯＤ非対応装置である場合、制御装置６１は、複数の無線基地局６２ａ，６２ｂ，６２ｃのすべての作動モードを非ＲＯＤモードに設定する。
【０１６６】
これによれば、ＲＯＤ非対応装置が、いずれの無線基地局（ＲＯＤ装置）と無線通信可能となった場合においても、当該無線基地局と確実に無線通信を行うことができる。
【０１６７】
次に、図１２に示したように、第２実施形態の第２変形例に係る無線通信システム２Ａについて説明する。本例では、無線端末６３ａ、及び、無線端末６３ｂのそれぞれがＲＯＤ対応装置であり、且つ、無線端末６３ｃがＲＯＤ非対応装置である場合を想定する。
【０１６８】
第２変形例に係る無線通信システム２Ａにおいては、ＲＯＤ非対応装置である無線端末６３ｃは、自端末の位置を表す位置情報を取得し、取得された位置情報を無線基地局６２ｃを介して制御装置６１へ送信する。なお、無線通信システム２Ａは、ＲＯＤ非対応装置と無線通信可能な無線基地局が、ＲＯＤ非対応装置の位置を表す位置情報を取得し、取得された位置情報を制御装置６１へ送信するように構成されていてもよい。
【０１６９】
制御装置６１は、受信した位置情報に基づいて、無線端末６３ｃが接続を確立すべき無線基地局を決定する。制御装置６１は、決定された無線基地局（第２の無線基地局）が、現時点にて無線端末６３ｃとの間で接続が確立されている（無線端末６３ｃと無線通信可能な）無線基地局（第１の無線基地局）と異なる場合、移行処理を実行する。
【０１７０】
移行処理は、第２の無線基地局の作動モードを非ＲＯＤモードに設定する処理と、第１の無線基地局の作動モードをＲＯＤモードに設定する処理と、を含む。具体的には、移行処理は、第２の無線基地局の状態が、スリープ状態である場合、起動指示信号を第２の無線基地局へ送信し、その後、作動モード設定情報を第２の無線基地局へ送信する処理を含む。
【０１７１】
いま、無線端末６３ａ、及び、無線端末６３ｂのそれぞれが無線基地局６２ａと無線通信可能であり、且つ、無線端末６３ｃが無線基地局６２ｃと無線通信可能である場合を想定する。この場合、制御装置６１は、無線基地局６２ａ、及び、無線基地局６２ｂのそれぞれの作動モードをＲＯＤモードに設定し、且つ、無線基地局６２ｃの作動モードを非ＲＯＤモードに設定する。
【０１７２】
その後、無線端末６３ｃが、無線基地局６２ｂとの間で接続を確立すべき位置へ移動した（図１２の矢印Ａ１）場合を想定する。この場合、無線端末６３ｃが制御装置６１へ送信した位置情報（図１２の矢印Ａ２）に基づいて、制御装置６１は、無線端末６３ｃが接続を確立すべき無線基地局を決定する。
【０１７３】
そして、制御装置６１は、無線基地局６２ｂの状態がスリープ状態である場合、無線基地局６２ｂへ起動指示信号を送信する（図１２の矢印Ａ３）。更に、制御装置６１は、非ＲＯＤモードを表す作動モード設定情報を無線基地局６２ｂへ送信し、且つ、ＲＯＤモードを表す作動モード設定情報を無線基地局６２ｃへ送信する。
【０１７４】
このように、第２変形例に係る制御装置６１は、ＲＯＤ非対応装置である無線端末６３ｃと無線通信可能な無線基地局が、無線基地局６２ｃ（第１の無線通信装置）から無線基地局６２ｂ（第２の無線通信装置）へ変化する場合において、無線基地局６２ｂの作動モードを非ＲＯＤモードに設定し、且つ、無線基地局６２ｃの作動モードをＲＯＤモードに設定する。
【０１７５】
これによれば、ＲＯＤ非対応装置である無線端末６３ｃが移動することにより、無線基地局６２ｂと無線通信可能となった場合において、無線端末６３ｃが無線基地局６２ｂと確実に無線通信を行うことができる。更に、無線基地局６２ｃが消費する電力の量を低減することもできる。
【０１７６】
次に、図１３に示したように、第２実施形態の第３変形例に係る無線通信システム２Ｃについて説明する。この第３変形例に係る無線通信システム２Ｃは、３つの無線基地局６２ａ，６２ｂ，６２ｃに加えて、２つの無線基地局６２ｄ，６２ｅを備える。
【０１７７】
２つの無線基地局６２ｄ，６２ｅのそれぞれも、無線基地局６２ａ，６２ｂ，６２ｃと同様に構成される。即ち、複数の無線基地局６２ａ〜６２ｅのそれぞれは、ＲＯＤ装置である。なお、無線通信システム２Ｃは、非ＲＯＤ装置である無線基地局を更に備えていてもよい。
【０１７８】
第３変形例に係る制御装置６１は、複数の無線基地局６２ａ〜６２ｅのそれぞれの位置を表す位置情報を取得する位置情報取得部（位置情報取得手段）を備える。
【０１７９】
更に、制御装置６１は、複数の無線基地局６２ａ〜６２ｅの任意の１つ（第１のＲＯＤ装置）の作動モードを非ＲＯＤモードに設定する際、第１のＲＯＤ装置の近傍に位置する無線基地局（第２のＲＯＤ装置）を、取得された位置情報に基づいて特定する。
【０１８０】
本例では、制御装置６１は、第１のＲＯＤ装置との間の距離が、予め設定された閾値距離以下であるＲＯＤ装置を、第１のＲＯＤ装置の近傍に位置するＲＯＤ装置として特定する。なお、制御装置６１は、第１のＲＯＤ装置の最も近くに位置するＲＯＤ装置を、第１のＲＯＤ装置の近傍に位置するＲＯＤ装置として特定するように構成されていてもよい。
【０１８１】
加えて、制御装置６１は、特定された第２のＲＯＤ装置の作動モードも非ＲＯＤモードに設定する。
【０１８２】
本例において、ＲＯＤモードにて作動するＲＯＤ装置である無線基地局は、ＲＯＤモードクラスタを構成する。また、非ＲＯＤモードにて作動するＲＯＤ装置である無線基地局、及び、非ＲＯＤ装置である無線基地局は、非ＲＯＤモードクラスタを構成する。
【０１８３】
いま、無線端末６３ａ、及び、無線端末６３ｂのそれぞれがＲＯＤ対応装置であり、且つ、無線端末６３ｃがＲＯＤ非対応装置である場合を想定する。更に、無線端末６３ａ、及び、無線端末６３ｂのそれぞれが無線基地局６２ａと無線通信可能であり、且つ、無線端末６３ｃが無線基地局６２ｄと無線通信可能である場合を想定する。加えて、無線基地局６２ｄと、無線基地局６２ｃ及び無線基地局６２ｅのそれぞれと、の間の距離が閾値距離以下である場合を想定する。
【０１８４】
この場合、制御装置６１は、無線基地局６２ａ、及び、無線基地局６２ｂのそれぞれの作動モードをＲＯＤモードに設定し、且つ、無線基地局６２ｄの作動モードを非ＲＯＤモードに設定する。更に、制御装置６１は、無線基地局６２ｄの作動モードを非ＲＯＤモードに設定する際、無線基地局６２ｃ、及び、無線基地局６２ｅの作動モードも非ＲＯＤモードに設定する。
【０１８５】
これによれば、無線基地局６２ｄ（第１のＲＯＤ装置）と無線通信を行っていた無線端末６３ｃ（ＲＯＤ非対応装置）が、移動することにより、無線基地局６２ｃ、又は、無線基地局６２ｅ（第２のＲＯＤ装置）と無線通信可能となった場合において、無線端末６３ｃが第２のＲＯＤ装置と確実に無線通信を行うことができる。
【０１８６】
＜第３実施形態＞
次に、本発明の第３実施形態に係るシステムについて説明する。第３実施形態に係るシステムは、上記第１実施形態に係る無線通信システムに対して、複数の無線通信装置を備えるとともに、複数の無線通信装置のそれぞれは、メッシュ型の通信網におけるノードを構成する点において相違している。従って、以下、かかる相違点を中心として説明する。
【０１８７】
図１４に示したように、第３実施形態に係る無線通信システム３は、複数（本例では、６つ）の無線通信装置７１〜７６を備える。なお、無線通信システム３は、５つ以下、又は、７つ以上の無線通信装置を備えていてもよい。
【０１８８】
複数の無線通信装置７１〜７６は、無線通信可能に構成される。複数の無線通信装置７１〜７６のそれぞれは、メッシュ型の通信網におけるノードを構成する。無線通信装置７１〜７６は、それぞれ、ノード＃１〜＃６とも呼ばれる。
【０１８９】
本例では、無線通信装置７１は、無線通信装置７２、及び、無線通信装置７３のそれぞれと無線通信可能に接続される。また、無線通信装置７４は、無線通信装置７２、無線通信装置７３、無線通信装置７５、及び、無線通信装置７６のそれぞれと無線通信可能に接続される。
【０１９０】
複数の無線通信装置７１〜７６のそれぞれは、ＲＯＤ装置、又は、非ＲＯＤ装置である。本例では、無線通信装置７１、無線通信装置７２、無線通信装置７４、及び、無線通信装置７６のそれぞれは、ＲＯＤ装置である。また、無線通信装置７３、及び、無線通信装置７５のそれぞれは、非ＲＯＤ装置である。
【０１９１】
第３実施形態に係る各ＲＯＤ装置７１，７２，７４，７６は、第１実施形態に係る無線基地局１０と同様に、ＲＯＤモード、及び、非ＲＯＤモードのいずれかの作動モードにて作動するように構成される。また、第３実施形態に係る各非ＲＯＤ装置７３，７５は、非ＲＯＤモードにて作動するように構成される。
【０１９２】
各ＲＯＤ装置７１，７２，７４，７６は、対応情報を含むＲＯＤサポート表を記憶する。１つの対応情報は、無線通信装置７１〜７６を識別するための無線通信装置識別情報（ノードＩＤ）と、ＲＯＤ情報と、を含む。
【０１９３】
各ＲＯＤ装置７１，７２，７４，７６は、自ノードと通信網において隣接する（即ち、自ノードと無線通信可能に接続された）ノードである隣接ノードのそれぞれへ通知送信要求を送信する。通知送信要求は、対応可能通知の送信を要求する情報である。対応可能通知は、起動指示信号を送信可能であることを表す情報である。
【０１９４】
各ＲＯＤ装置７１，７２，７４，７６は、隣接ノードから通知送信要求を受信した場合、対応可能通知を当該隣接ノードへ送信する（対応可能通知送信手段）。一方、非ＲＯＤ装置７３，７５は、対応可能通知を送信しない。
【０１９５】
各ＲＯＤ装置７１，７２，７４，７６は、送信した通知送信要求に応じて、予め設定された待機時間内に、隣接ノードから対応可能通知を受信した場合、当該隣接ノードに対して当該隣接ノードが起動指示信号を送信可能である（ＲＯＤ装置である）ことを表す対応情報を取得する。
【０１９６】
一方、各ＲＯＤ装置７１，７２，７４，７６は、送信した通知送信要求に応じて、上記待機時間内に、隣接ノードから対応可能通知を受信しなかった場合、当該隣接ノードに対して当該隣接ノードが起動指示信号を送信不能である（非ＲＯＤ装置である）ことを表す対応情報を取得する。
【０１９７】
このようにして、各ＲＯＤ装置７１，７２，７４，７６は、隣接ノードのそれぞれに対して対応情報を取得する（対応情報取得手段）。そして、各ＲＯＤ装置７１，７２，７４，７６は、取得された対応情報を記憶する（ＲＯＤサポート表を更新する）。
【０１９８】
なお、各ＲＯＤ装置７１，７２，７４，７６は、対応可能通知を含むＨＥＬＬＯメッセージを送信するように構成されていてもよい。この場合、各ＲＯＤ装置７１，７２，７４，７６は、隣接ノードから受信したＨＥＬＬＯメッセージが対応可能通知を含む場合、当該隣接ノードに対して当該隣接ノードが起動指示信号を送信可能である（ＲＯＤ装置である）ことを表す対応情報を取得する。
【０１９９】
各ＲＯＤ装置７１，７２，７４，７６が非ＲＯＤモードにて作動する場合、当該ＲＯＤ装置７１，７２，７４，７６は、常時、自ノードの状態を起動状態に設定する。
【０２００】
また、各ＲＯＤ装置７１，７２，７４，７６がＲＯＤモードにて作動する場合、当該ＲＯＤ装置７１，７２，７４，７６は、起動状態とスリープ状態とのいずれかに自ノードの状態を設定する。
【０２０１】
更に、各ＲＯＤ装置７１，７２，７４，７６がＲＯＤモードにて作動する場合、当該ＲＯＤ装置７１，７２，７４，７６は、自ノードの状態が起動状態であり、且つ、予め定められたスリープ条件が成立したとき、自ノードの状態をスリープ状態に設定する。例えば、スリープ条件は、現時点よりも、予め設定された第３の閾値時間だけ前の時点から、現時点までの間に、無線通信が行われていない、という条件である。
【０２０２】
加えて、各ＲＯＤ装置７１，７２，７４，７６がＲＯＤモードにて作動する場合、当該ＲＯＤ装置７１，７２，７４，７６は、自ノードの状態がスリープ状態であり、且つ、隣接ノードから起動指示信号が受信されたとき、自ノードの状態を起動状態に設定する。
【０２０３】
更に、各ＲＯＤ装置７１，７２，７４，７６は、予め定められた設定タイミングにて（例えば、予め設定された周期が経過する毎に、又は、記憶しているＲＯＤサポート表が変更される毎に）、自ノードの作動モードを、ＲＯＤモード又は非ＲＯＤモードに設定する。
【０２０４】
具体的には、各ＲＯＤ装置７１，７２，７４，７６は、自ノードが記憶している、すべての対応情報のそれぞれが、ＲＯＤ情報として「ＲＯＤ可」を含む場合（即ち、取得された対応情報が、隣接ノードのすべてがＲＯＤ装置であることを表す場合）、作動モードをＲＯＤモードに設定する。これにより、各ＲＯＤ装置７１，７２，７４，７６は、設定された作動モード（ＲＯＤモード）にて作動する。
【０２０５】
一方、各ＲＯＤ装置７１，７２，７４，７６は、自ノードが記憶している対応情報の少なくとも１つが、ＲＯＤ情報として「ＲＯＤ不可」を含む場合（即ち、取得された対応情報が、隣接ノードの少なくとも１つが非ＲＯＤ装置であることを表す場合）、作動モードを非ＲＯＤモードに設定する。これにより、各ＲＯＤ装置７１，７２，７４，７６は、設定された作動モード（非ＲＯＤモード）にて作動する。
【０２０６】
また、各ＲＯＤ装置７１，７２，７４，７６は、起動指示信号を隣接ノードへ送信可能に構成される。一方、非ＲＯＤ装置７３，７５のそれぞれは、起動指示信号を送信不能に構成される。
【０２０７】
従って、第３実施形態に係る無線通信システム３においては、ＲＯＤ装置７１、及び、ＲＯＤ装置７４のそれぞれは、自ノードの作動モードを非ＲＯＤモードに設定する。また、ＲＯＤ装置７２、及び、ＲＯＤ装置７６のそれぞれは、自ノードの作動モードをＲＯＤモードに設定する。
【０２０８】
このように、第３実施形態に係る無線通信システム３によっても、第１実施形態に係る無線通信システム１と同様の作用及び効果を奏することができる。
【０２０９】
次に、第３実施形態の第１変形例に係る無線通信システム３について説明する。この第１変形例に係る無線通信システム３は、非ＲＯＤ装置をＲＯＤ装置よりも優先して通るように、データを伝送するための経路を決定する。具体的には、無線通信システム３は、ルーティングアルゴリズムを使用する際に、ルーティングメトリクスを決める要素の１つとしてＲＯＤサポート表を用いる。
【０２１０】
従って、例えば、ノード＃１とノード＃６とを結ぶ経路を決定する場合、無線通信システム３は、ノード＃１、ノード＃２、ノード＃４、及び、ノード＃６を通る第１の経路よりも、ノード＃１、ノード＃３、ノード＃４、及び、ノード＃６を通る第２の経路を優先して選択する（即ち、データを伝送するための経路として決定する）。
【０２１１】
ところで、非ＲＯＤ装置は、常時、状態が起動状態に設定される。一方、ＲＯＤ装置は、状態がスリープ状態に設定され得る。従って、上記構成によれば、状態がスリープ状態に設定されているＲＯＤ装置の数を増加させることができる。この結果、無線通信システム３が消費する電力の量が無駄に増加することを回避することができる。
【０２１２】
また、第３実施形態の第２変形例に係る無線通信システム３について説明する。この第２変形例に係る無線通信システム３は、隣接ノードとして非ＲＯＤ装置を有するノードを、隣接ノードとして非ＲＯＤ装置を有しないノードよりも優先して通るように、データを伝送するための経路を決定する。
【０２１３】
ところで、隣接ノードとして非ＲＯＤ装置を有するノードは、常時、状態が起動状態に設定される。一方、隣接ノードとして非ＲＯＤ装置を有しないノードは、状態がスリープ状態に設定され得る。従って、上記構成によれば、状態がスリープ状態に設定されているＲＯＤ装置の数を増加させることができる。この結果、無線通信システム３が消費する電力の量が無駄に増加することを回避することができる。
【０２１４】
＜第４実施形態＞
次に、本発明の第４実施形態に係る通信システムについて図１５を参照しながら説明する。
第４実施形態に係る無線通信装置８１は、少なくとも１つの通信先装置８２と無線通信を実行可能に構成された装置である。
【０２１５】
更に、この無線通信装置８１は、ＲＯＤ（Ｒａｄｉｏ  ｏｎ  Ｄｅｍａｎｄ）モード、及び、非ＲＯＤモードのいずれかの作動モードにて作動するように構成される。
【０２１６】
上記非ＲＯＤモードは、
上記通信先装置８２と、予め定められた第１の通信方式に従った無線通信を実行可能な状態である起動状態に当該無線通信装置８１の状態を設定するように構成される。
【０２１７】
上記ＲＯＤモードは、
上記起動状態と、信号を受信するために必要とされる電力が上記第１の通信方式よりも小さい第２の通信方式に従った起動指示信号を受信可能であり且つ上記通信先装置８２と当該第１の通信方式に従った無線通信を実行不能な状態であるスリープ状態と、のいずれかに当該無線通信装置８１の状態を設定するように構成され、且つ、当該無線通信装置８１の状態が当該起動状態である場合において、予め定められたスリープ条件が成立したとき、当該無線通信装置８１の状態を当該スリープ状態に設定するように構成され、且つ、当該無線通信装置８１の状態が当該スリープ状態である場合において、当該起動指示信号を受信したとき、当該無線通信装置８１の状態を当該起動状態に設定するように構成される。
【０２１８】
これによれば、起動指示信号を送信可能な通信先装置と、起動指示信号を送信不能な通信先装置と、が混在している場合においても、無線通信装置８１が消費する電力の量を低減しながら、通信先装置と確実に無線通信を実行することができる。
【０２１９】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０２２０】
なお、上記各実施形態において無線通信システムの各機能は、回路等のハードウェアにより実現されていた。ところで、無線通信装置は、処理装置と、プログラム（ソフトウェア）を記憶する記憶装置と、を備えるとともに、処理装置がそのプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０２２１】
また、上記実施形態の他の変形例として、上述した実施形態及び変形例の任意の組み合わせが採用されてもよい。
【０２２２】
＜付記＞
上記実施形態の一部又は全部は、以下の付記のように記載され得るが、以下には限られない。
【０２２３】
（付記１）
少なくとも１つの通信先装置と無線通信を実行可能に構成された無線通信装置であって、
ＲＯＤ（Ｒａｄｉｏ  ｏｎ  Ｄｅｍａｎｄ）モード、及び、非ＲＯＤモードのいずれかの作動モードにて作動するように構成され、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成された無線通信装置。
【０２２４】
これによれば、起動指示信号を送信可能な通信先装置と、起動指示信号を送信不能な通信先装置と、が混在している場合においても、無線通信装置が消費する電力の量を低減しながら、通信先装置と確実に無線通信を実行することができる。
【０２２５】
（付記２）
付記１に記載の無線通信装置であって、
前記通信先装置のそれぞれに対して、当該通信先装置が、前記起動指示信号を送信可能なＲＯＤ対応装置、及び、当該起動指示信号を送信不能なＲＯＤ非対応装置、のいずれであるかを表す対応情報を取得する対応情報取得手段を備え、
前記取得された対応情報が、前記通信先装置のすべてが前記ＲＯＤ対応装置であることを表す場合、前記ＲＯＤモードにて作動するように構成され、一方、当該取得された対応情報が、前記通信先装置の少なくとも１つが前記ＲＯＤ非対応装置であることを表す場合、前記非ＲＯＤモードにて作動するように構成された無線通信装置。
【０２２６】
（付記３）
付記１又は付記２に記載の無線通信装置であって、
前記対応情報取得手段は、
前記起動指示信号を送信可能であることを表す対応可能通知の送信を要求する通知送信要求を前記通信先装置のそれぞれへ送信するとともに、当該送信された通知送信要求に応じて当該通信先装置から当該対応可能通知を受信した場合、当該通信先装置に対して当該通信先装置が前記ＲＯＤ対応装置であることを表す対応情報を取得し、一方、当該送信された通知送信要求に応じて当該通信先装置から当該対応可能通知を受信しなかった場合、当該通信先装置に対して当該通信先装置が前記ＲＯＤ非対応装置であることを表す対応情報を取得するように構成された無線通信装置。
【０２２７】
これによれば、すべての通信先装置に対する対応情報を確実に取得することができる。
【０２２８】
（付記４）
付記１乃至付記３のいずれかに記載の無線通信装置であって、
当該無線通信装置の状態が前記起動状態に設定されている場合、予め設定された送信周期が経過する毎に、当該無線通信装置と無線通信可能であることを通知するためのビーコン信号を送信するように構成された無線通信装置。
【０２２９】
（付記５）
付記４に記載の無線通信装置であって、
前記非ＲＯＤモードは、
予め定められた第１の省電力条件が成立しない場合、前記送信周期を第１の送信周期に設定し、一方、当該第１の省電力条件が成立する場合、当該送信周期を当該第１の送信周期よりも長い第２の送信周期に設定するように構成された無線通信装置。
【０２３０】
これによれば、非ＲＯＤモードにて作動している場合においても、無線通信装置が消費する電力の量を低減することができる。
【０２３１】
（付記６）
付記１乃至付記５のいずれかに記載の無線通信装置であって、
前記非ＲＯＤモードは、
予め定められた第２の省電力条件が成立する場合、当該無線通信装置が作動を停止する予定であることを通知するための作動停止通知を送信するとともに、当該無線通信装置への電力の供給を遮断するように構成された無線通信装置。
【０２３２】
これによれば、非ＲＯＤモードにて作動している場合においても、無線通信装置が消費する電力の量を低減することができる。
【０２３３】
（付記７）
付記１乃至付記６のいずれかに記載の無線通信装置であって、
無線基地局である無線通信装置。
【０２３４】
（付記８）
付記７に記載の無線通信装置であって、
前記通信先装置の少なくとも１つは、無線端末である無線通信装置。
【０２３５】
（付記９）
付記７又は付記８に記載の無線通信装置であって、
前記通信先装置の少なくとも１つは、前記無線通信装置と前記通信先装置とにより構成される第１の通信網に加えて、当該第１の通信網と異なる第２の通信網を構成する装置である無線通信装置。
【０２３６】
（付記１０）
少なくとも１つの通信先装置と無線通信を実行可能に構成された無線通信装置に適用され、
前記無線通信装置を、ＲＯＤ（Ｒａｄｉｏ  ｏｎ  Ｄｅｍａｎｄ）モード、及び、非ＲＯＤモードのいずれかの作動モードにて作動させ、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成された無線通信装置制御方法。
【０２３７】
（付記１１）
付記１０に記載の無線通信装置制御方法であって、
前記通信先装置のそれぞれに対して、当該通信先装置が、前記起動指示信号を送信可能なＲＯＤ対応装置、及び、当該起動指示信号を送信不能なＲＯＤ非対応装置、のいずれであるかを表す対応情報を取得し、
前記取得された対応情報が、前記通信先装置のすべてが前記ＲＯＤ対応装置であることを表す場合、前記無線通信装置を前記ＲＯＤモードにて作動させ、一方、当該取得された対応情報が、前記通信先装置の少なくとも１つが前記ＲＯＤ非対応装置であることを表す場合、前記無線通信装置を前記非ＲＯＤモードにて作動させるように構成された無線通信装置制御方法。
【０２３８】
（付記１２）
少なくとも１つの通信先装置と無線通信を実行可能に構成された無線通信装置が実行する無線通信装置制御プログラムであって、
前記無線通信装置に、
前記無線通信装置を、ＲＯＤ（Ｒａｄｉｏ  ｏｎ  Ｄｅｍａｎｄ）モード、及び、非ＲＯＤモードのいずれかの作動モードにて作動させる処理を実行させるとともに、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成された無線通信装置制御プログラム。
【０２３９】
（付記１３）
付記１２に記載の無線通信装置制御プログラムであって、
前記無線通信装置に、
前記通信先装置のそれぞれに対して、当該通信先装置が、前記起動指示信号を送信可能なＲＯＤ対応装置、及び、当該起動指示信号を送信不能なＲＯＤ非対応装置、のいずれであるかを表す対応情報を取得し、
前記取得された対応情報が、前記通信先装置のすべてが前記ＲＯＤ対応装置であることを表す場合、前記無線通信装置を前記ＲＯＤモードにて作動させ、一方、当該取得された対応情報が、前記通信先装置の少なくとも１つが前記ＲＯＤ非対応装置であることを表す場合、前記無線通信装置を前記非ＲＯＤモードにて作動させる、処理を実行させるように構成された無線通信装置制御プログラム。
【０２４０】
（付記１４）
少なくとも１つの通信先装置と無線通信を実行可能に構成された無線通信装置を複数備える無線通信システムであって、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置は、ＲＯＤモード、及び、非ＲＯＤモードのいずれかの作動モードにて作動するように構成され、
前記非ＲＯＤ装置は、非ＲＯＤモードにて作動するように構成され、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成された無線通信システム。
【０２４１】
（付記１５）
付記１４に記載の無線通信システムであって、
前記複数の無線通信装置のそれぞれと通信可能に構成された制御装置を備え、
前記制御装置は、
前記複数の無線通信装置のうちの前記ＲＯＤ装置のそれぞれの前記作動モードを設定する作動モード設定手段を備える無線通信システム。
【０２４２】
（付記１６）
付記１５に記載の無線通信システムであって、
前記制御装置は、
前記複数の無線通信装置のうちの前記ＲＯＤ装置のそれぞれに対して、当該ＲＯＤ装置と無線通信可能な通信先装置毎に、当該通信先装置が、前記起動指示信号を送信可能なＲＯＤ対応装置、及び、当該起動指示信号を送信不能なＲＯＤ非対応装置、のいずれであるかを表す対応情報を取得する対応情報取得手段を備え、
前記作動モード設定手段は、
前記複数の無線通信装置のうちの前記ＲＯＤ装置のそれぞれの前記作動モードを、前記取得された対応情報に基づいて設定するように構成された無線通信システム。
【０２４３】
（付記１７）
付記１６に記載の無線通信システムであって、
前記作動モード設定手段は、
前記複数の無線通信装置のうちの前記ＲＯＤ装置のそれぞれの前記作動モードを、当該ＲＯＤ装置に対して前記取得された対応情報が、当該ＲＯＤ装置と無線通信可能な通信先装置のすべてが前記ＲＯＤ対応装置であることを表す場合、前記ＲＯＤモードに設定し、一方、当該対応情報が、当該ＲＯＤ装置と無線通信可能な通信先装置の少なくとも１つが前記ＲＯＤ非対応装置であることを表す場合、前記非ＲＯＤモードに設定するように構成された無線通信システム。
【０２４４】
（付記１８）
付記１７に記載の無線通信システムであって、
前記作動モード設定手段は、
前記ＲＯＤ非対応装置と無線通信可能な無線通信装置が、第１の無線通信装置から第２の無線通信装置へ変化する場合において、当該第２の無線通信装置が前記ＲＯＤ装置であるとき、当該ＲＯＤ装置の前記作動モードを前記非ＲＯＤモードに設定し、且つ、当該第１の無線通信装置が前記ＲＯＤ装置であるとき、当該ＲＯＤ装置の前記作動モードを前記ＲＯＤモードに設定するように構成された無線通信システム。
【０２４５】
これによれば、例えば、ＲＯＤ非対応装置が移動することにより、第２の無線通信装置と無線通信可能となった場合において、当該ＲＯＤ非対応装置が当該第２の無線通信装置と確実に無線通信を行うことができる。更に、第１の無線通信装置が消費する電力の量を低減することもできる。
【０２４６】
（付記１９）
付記１７又は付記１８に記載の無線通信システムであって、
前記制御装置は、
前記複数の無線通信装置のうちの前記ＲＯＤ装置のそれぞれの位置を表す位置情報を取得する位置情報取得手段を備え、
前記作動モード設定手段は、
第１のＲＯＤ装置としての前記ＲＯＤ装置の前記作動モードを前記非ＲＯＤモードに設定する際、当該第１のＲＯＤ装置の近傍に位置する前記ＲＯＤ装置である第２のＲＯＤ装置を、前記取得された位置情報に基づいて特定し、当該特定された第２のＲＯＤ装置の前記作動モードも前記非ＲＯＤモードに設定するように構成された無線通信システム。
【０２４７】
これによれば、例えば、第１のＲＯＤ装置と無線通信を行っていたＲＯＤ非対応装置が、移動することにより、第２のＲＯＤ装置と無線通信可能となった場合において、当該ＲＯＤ非対応装置が当該第２のＲＯＤ装置と確実に無線通信を行うことができる。
【０２４８】
（付記２０）
付記１６に記載の無線通信システムであって、
前記作動モード設定手段は、
前記複数の無線通信装置のうちの前記ＲＯＤ装置のそれぞれの前記作動モードを、前記取得された対応情報が、前記ＲＯＤ装置のいずれかと無線通信可能な通信先装置のすべてが前記ＲＯＤ対応装置であることを表す場合、前記ＲＯＤモードに設定し、一方、当該対応情報が、前記ＲＯＤ装置のいずれかと無線通信可能な通信先装置の少なくとも１つが前記ＲＯＤ非対応装置であることを表す場合、前記非ＲＯＤモードに設定するように構成された無線通信システム。
【０２４９】
これによれば、ＲＯＤ非対応装置が、いずれのＲＯＤ装置と無線通信可能となった場合においても、当該ＲＯＤ装置と確実に無線通信を行うことができる。
【０２５０】
（付記２１）
少なくとも１つの通信先装置と無線通信を実行可能に構成された無線通信装置を複数備える無線通信システムに適用され、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置を、ＲＯＤモード、及び、非ＲＯＤモードのいずれかの作動モードにて作動させ、
前記非ＲＯＤ装置を、非ＲＯＤモードにて作動させ、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成された無線通信システム制御方法。
【０２５１】
（付記２２）
付記２１に記載の無線通信システム制御方法であって、
前記無線通信システムは、前記複数の無線通信装置のそれぞれと通信可能に構成された制御装置を備え、
前記制御装置が、前記複数の無線通信装置のうちの前記ＲＯＤ装置のそれぞれの前記作動モードを設定するように構成された無線通信システム制御方法。
【０２５２】
（付記２３）
付記２２に記載の無線通信システム制御方法であって、
前記制御装置が、前記複数の無線通信装置のうちの前記ＲＯＤ装置のそれぞれに対して、当該ＲＯＤ装置と無線通信可能な通信先装置毎に、当該通信先装置が、前記起動指示信号を送信可能なＲＯＤ対応装置、及び、当該起動指示信号を送信不能なＲＯＤ非対応装置、のいずれであるかを表す対応情報を取得し、
前記制御装置が、前記複数の無線通信装置のうちの前記ＲＯＤ装置のそれぞれの前記作動モードを、前記取得された対応情報に基づいて設定するように構成された無線通信システム制御方法。
【０２５３】
（付記２４）
少なくとも１つの通信先装置と無線通信を実行可能に構成された複数の無線通信装置のそれぞれと通信可能に構成された制御装置であって、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置は、ＲＯＤモード、及び、非ＲＯＤモードのいずれかの作動モードにて作動するように構成され、
前記非ＲＯＤ装置は、非ＲＯＤモードにて作動するように構成され、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成され、
前記制御装置は、
前記複数の無線通信装置のうちの前記ＲＯＤ装置のそれぞれの前記作動モードを設定する作動モード設定手段を備える制御装置。
【０２５４】
（付記２５）
付記２４に記載の制御装置であって、
前記複数の無線通信装置のうちの前記ＲＯＤ装置のそれぞれに対して、当該ＲＯＤ装置と無線通信可能な通信先装置毎に、当該通信先装置が、前記起動指示信号を送信可能なＲＯＤ対応装置、及び、当該起動指示信号を送信不能なＲＯＤ非対応装置、のいずれであるかを表す対応情報を取得する対応情報取得手段を備え、
前記作動モード設定手段は、
前記複数の無線通信装置のうちの前記ＲＯＤ装置のそれぞれの前記作動モードを、前記取得された対応情報に基づいて設定するように構成された制御装置。
【０２５５】
（付記２６）
少なくとも１つの通信先装置と無線通信を実行可能に構成された複数の無線通信装置のそれぞれと通信可能に構成された制御装置に適用され、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置は、ＲＯＤモード、及び、非ＲＯＤモードのいずれかの作動モードにて作動するように構成され、
前記非ＲＯＤ装置は、非ＲＯＤモードにて作動するように構成され、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成され、
前記制御装置が、前記複数の無線通信装置のうちの前記ＲＯＤ装置のそれぞれの前記作動モードを設定する、制御装置制御方法。
【０２５６】
（付記２７）
付記２６に記載の制御装置制御方法であって、
前記制御装置が、前記複数の無線通信装置のうちの前記ＲＯＤ装置のそれぞれに対して、当該ＲＯＤ装置と無線通信可能な通信先装置毎に、当該通信先装置が、前記起動指示信号を送信可能なＲＯＤ対応装置、及び、当該起動指示信号を送信不能なＲＯＤ非対応装置、のいずれであるかを表す対応情報を取得し、
前記制御装置が、前記複数の無線通信装置のうちの前記ＲＯＤ装置のそれぞれの前記作動モードを、前記取得された対応情報に基づいて設定するように構成された制御装置制御方法。
【０２５７】
（付記２８）
少なくとも１つの通信先装置と無線通信を実行可能に構成された複数の無線通信装置のそれぞれと通信可能に構成された制御装置が実行する制御装置制御プログラムであって、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置は、ＲＯＤモード、及び、非ＲＯＤモードのいずれかの作動モードにて作動するように構成され、
前記非ＲＯＤ装置は、非ＲＯＤモードにて作動するように構成され、
前記非ＲＯＤモードは、
前記通信先装置と、予め定められた第１の通信方式に従った無線通信を実行可能な状態である起動状態に当該無線通信装置の状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記通信先装置と当該第１の通信方式に従った無線通信を実行不能な状態であるスリープ状態と、のいずれかに当該無線通信装置の状態を設定するように構成され、且つ、当該無線通信装置の状態が当該起動状態である場合において、予め定められたスリープ条件が成立したとき、当該無線通信装置の状態を当該スリープ状態に設定するように構成され、且つ、当該無線通信装置の状態が当該スリープ状態である場合において、当該起動指示信号を受信したとき、当該無線通信装置の状態を当該起動状態に設定するように構成され、
前記制御装置に、
前記複数の無線通信装置のうちの前記ＲＯＤ装置のそれぞれの前記作動モードを設定する処理を実行させるための制御装置制御プログラム。
【０２５８】
（付記２９）
付記２８に記載の制御装置制御プログラムであって、
前記制御装置に、
前記複数の無線通信装置のうちの前記ＲＯＤ装置のそれぞれに対して、当該ＲＯＤ装置と無線通信可能な通信先装置毎に、当該通信先装置が、前記起動指示信号を送信可能なＲＯＤ対応装置、及び、当該起動指示信号を送信不能なＲＯＤ非対応装置、のいずれであるかを表す対応情報を取得し、
前記複数の無線通信装置のうちの前記ＲＯＤ装置のそれぞれの前記作動モードを、前記取得された対応情報に基づいて設定する、処理を実行させるための制御装置制御プログラム。
【０２５９】
（付記３０）
無線通信可能に構成された無線通信装置を複数備える無線通信システムであって、
前記複数の無線通信装置のそれぞれは、メッシュ型の通信網におけるノードを構成し、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置は、ＲＯＤモード、及び、非ＲＯＤモードのいずれかの作動モードにて作動するように構成され、
前記非ＲＯＤ装置は、非ＲＯＤモードにて作動するように構成され、
前記非ＲＯＤモードは、
自ノードと前記通信網において隣接するノードである隣接ノードと、予め定められた第１の通信方式に従った無線通信を実行可能な状態である起動状態に当該自ノードの状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記隣接ノードと当該第１の通信方式に従った無線通信を実行不能な状態であるスリープ状態と、のいずれかに前記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成された無線通信システム。
【０２６０】
（付記３１）
付記３０に記載の無線通信システムであって、
前記ＲＯＤ装置のそれぞれは、前記起動指示信号を送信可能に構成され、
前記非ＲＯＤ装置のそれぞれは、前記起動指示信号を送信不能に構成され、
前記ＲＯＤ装置のそれぞれは、
自ノードと前記通信網において隣接するノードである隣接ノードのそれぞれに対して、当該隣接ノードが、前記ＲＯＤ装置、及び、前記非ＲＯＤ装置、のいずれであるかを表す対応情報を取得する対応情報取得手段を備え、
前記取得された対応情報が、前記隣接ノードのすべてが前記ＲＯＤ装置であることを表す場合、前記ＲＯＤモードにて作動するように構成され、一方、当該取得された対応情報が、前記隣接ノードの少なくとも１つが前記非ＲＯＤ装置であることを表す場合、前記非ＲＯＤモードにて作動するように構成された無線通信システム。
【０２６１】
（付記３２）
付記３０又は付記３１に記載の無線通信システムであって、
前記対応情報取得手段は、
前記起動指示信号を送信可能であることを表す対応可能通知の送信を要求する通知送信要求を前記隣接ノードのそれぞれへ送信するとともに、当該送信された通知送信要求に応じて当該隣接ノードから当該対応可能通知を受信した場合、当該隣接ノードに対して当該隣接ノードが前記ＲＯＤ装置であることを表す対応情報を取得し、一方、当該送信された通知送信要求に応じて当該隣接ノードから当該対応可能通知を受信しなかった場合、当該隣接ノードに対して当該隣接ノードが前記非ＲＯＤ装置であることを表す対応情報を取得するように構成され、
前記ＲＯＤ装置のそれぞれは、
前記隣接ノードから前記通知送信要求を受信した場合、前記対応可能通知を当該隣接ノードへ送信する対応可能通知送信手段を備える無線通信システム。
【０２６２】
（付記３３）
付記３０乃至付記３２のいずれかに記載の無線通信システムであって、
前記非ＲＯＤ装置を前記ＲＯＤ装置よりも優先して通るように、データを伝送するための経路を決定する無線通信システム。
【０２６３】
非ＲＯＤ装置は、常時、状態が起動状態に設定される。一方、ＲＯＤ装置は、状態がスリープ状態に設定され得る。従って、上記構成によれば、状態がスリープ状態に設定されているＲＯＤ装置の数を増加させることができる。この結果、無線通信システムが消費する電力の量が無駄に増加することを回避することができる。
【０２６４】
（付記３４）
付記３０乃至付記３３のいずれかに記載の無線通信システムであって、
前記隣接ノードとして前記非ＲＯＤ装置を有するノードを、前記隣接ノードとして前記非ＲＯＤ装置を有しないノードよりも優先して通るように、前記データを伝送するための経路を決定する無線通信システム。
【０２６５】
隣接ノードとして非ＲＯＤ装置を有するノードは、常時、状態が起動状態に設定される。一方、隣接ノードとして非ＲＯＤ装置を有しないノードは、状態がスリープ状態に設定され得る。従って、上記構成によれば、状態がスリープ状態に設定されているＲＯＤ装置の数を増加させることができる。この結果、無線通信システムが消費する電力の量が無駄に増加することを回避することができる。
【０２６６】
（付記３５）
無線通信可能に構成された無線通信装置を複数備える無線通信システムに適用され、
前記複数の無線通信装置のそれぞれは、メッシュ型の通信網におけるノードを構成し、
前記複数の無線通信装置のそれぞれは、ＲＯＤ（Ｒａｄｉｏ  ｏｎ  Ｄｅｍａｎｄ）装置、又は、非ＲＯＤ装置であり、
前記ＲＯＤ装置を、ＲＯＤモード、及び、非ＲＯＤモードのいずれかの作動モードにて作動させ、
前記非ＲＯＤ装置を、非ＲＯＤモードにて作動させ、
前記非ＲＯＤモードは、
自ノードと前記通信網において隣接するノードである隣接ノードと、予め定められた第１の通信方式に従った無線通信を実行可能な状態である起動状態に当該自ノードの状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記隣接ノードと当該第１の通信方式に従った無線通信を実行不能な状態であるスリープ状態と、のいずれかに前記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成された無線通信システム制御方法。
【０２６７】
（付記３６）
付記３５に記載の無線通信システム制御方法であって、
前記ＲＯＤ装置のそれぞれは、前記起動指示信号を送信可能に構成され、
前記非ＲＯＤ装置のそれぞれは、前記起動指示信号を送信不能に構成され、
前記ＲＯＤ装置のそれぞれが、自ノードと前記通信網において隣接するノードである隣接ノードのそれぞれに対して、当該隣接ノードが、前記ＲＯＤ装置、及び、前記非ＲＯＤ装置、のいずれであるかを表す対応情報を取得し、
前記ＲＯＤ装置のそれぞれが、前記取得された対応情報が、前記隣接ノードのすべてが前記ＲＯＤ装置であることを表す場合、前記ＲＯＤモードにて作動し、一方、当該取得された対応情報が、前記隣接ノードの少なくとも１つが前記非ＲＯＤ装置であることを表す場合、前記非ＲＯＤモードにて作動する、無線通信システム制御方法。
【０２６８】
（付記３７）
メッシュ型の通信網におけるノードを構成し、自ノードと前記通信網において隣接するノードである隣接ノードと無線通信可能に構成された無線通信装置であって、
ＲＯＤ（Ｒａｄｉｏ  ｏｎ  Ｄｅｍａｎｄ）モード、及び、非ＲＯＤモードのいずれかの作動モードにて作動するように構成され、
前記非ＲＯＤモードは、
前記隣接ノードと、予め定められた第１の通信方式に従った無線通信を実行可能な状態である起動状態に当該自ノードの状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記隣接ノードと当該第１の通信方式に従った無線通信を実行不能な状態であるスリープ状態と、のいずれかに前記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成された無線通信装置。
【０２６９】
（付記３８）
付記３７に記載の無線通信装置であって、
前記起動指示信号を送信可能に構成され、
自ノードと前記通信網において隣接するノードである隣接ノードのそれぞれに対して、当該隣接ノードが、前記起動指示信号を送信可能なＲＯＤ装置、及び、前記起動指示信号を送信不能な非ＲＯＤ装置、のいずれであるかを表す対応情報を取得する対応情報取得手段を備え、
前記取得された対応情報が、前記隣接ノードのすべてが前記ＲＯＤ装置であることを表す場合、前記ＲＯＤモードにて作動するように構成され、一方、当該取得された対応情報が、前記隣接ノードの少なくとも１つが前記非ＲＯＤ装置であることを表す場合、前記非ＲＯＤモードにて作動するように構成された無線通信装置。
【０２７０】
（付記３９）
メッシュ型の通信網におけるノードを構成し、自ノードと前記通信網において隣接するノードである隣接ノードと無線通信可能に構成された無線通信装置に適用され、
前記無線通信装置を、ＲＯＤ（Ｒａｄｉｏ  ｏｎ  Ｄｅｍａｎｄ）モード、及び、非ＲＯＤモードのいずれかの作動モードにて作動させ、
前記非ＲＯＤモードは、
前記隣接ノードと、予め定められた第１の通信方式に従った無線通信を実行可能な状態である起動状態に当該自ノードの状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記隣接ノードと当該第１の通信方式に従った無線通信を実行不能な状態であるスリープ状態と、のいずれかに前記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成された無線通信装置制御方法。
【０２７１】
（付記４０）
付記３９に記載の無線通信装置制御方法であって、
前記無線通信装置が、前記起動指示信号を送信し、
自ノードと前記通信網において隣接するノードである隣接ノードのそれぞれに対して、当該隣接ノードが、前記起動指示信号を送信可能なＲＯＤ装置、及び、前記起動指示信号を送信不能な非ＲＯＤ装置、のいずれであるかを表す対応情報を取得し、
前記取得された対応情報が、前記隣接ノードのすべてが前記ＲＯＤ装置であることを表す場合、前記無線通信装置を前記ＲＯＤモードにて作動させ、一方、当該取得された対応情報が、前記隣接ノードの少なくとも１つが前記非ＲＯＤ装置であることを表す場合、前記無線通信装置を前記非ＲＯＤモードにて作動させるように構成された無線通信装置制御方法。
【０２７２】
（付記４１）
メッシュ型の通信網におけるノードを構成し、自ノードと前記通信網において隣接するノードである隣接ノードと無線通信可能に構成された無線通信装置が実行する無線通信装置制御プログラムであって、
前記無線通信装置に、
前記無線通信装置を、ＲＯＤ（Ｒａｄｉｏ  ｏｎ  Ｄｅｍａｎｄ）モード、及び、非ＲＯＤモードのいずれかの作動モードにて作動させる処理を実行させるとともに、
前記非ＲＯＤモードは、
前記隣接ノードと、予め定められた第１の通信方式に従った無線通信を実行可能な状態である起動状態に当該自ノードの状態を設定するように構成され、
前記ＲＯＤモードは、
前記起動状態と、信号を受信するために必要とされる電力が前記第１の通信方式よりも小さい第２の通信方式に従った起動指示信号を受信可能であり且つ前記隣接ノードと当該第１の通信方式に従った無線通信を実行不能な状態であるスリープ状態と、のいずれかに前記自ノードの状態を設定するように構成され、且つ、当該自ノードの状態が当該起動状態である場合において、予め定められたスリープ条件が成立したとき、当該自ノードの状態を当該スリープ状態に設定するように構成され、且つ、当該自ノードの状態が当該スリープ状態である場合において、当該起動指示信号を受信したとき、当該自ノードの状態を当該起動状態に設定するように構成された無線通信装置制御プログラム。
【０２７３】
（付記４２）
付記４１に記載の無線通信装置制御プログラムであって、
前記無線通信装置に、
前記起動指示信号を送信し、
自ノードと前記通信網において隣接するノードである隣接ノードのそれぞれに対して、当該隣接ノードが、前記起動指示信号を送信可能なＲＯＤ装置、及び、前記起動指示信号を送信不能な非ＲＯＤ装置、のいずれであるかを表す対応情報を取得し、
前記取得された対応情報が、前記隣接ノードのすべてが前記ＲＯＤ装置であることを表す場合、前記無線通信装置を前記ＲＯＤモードにて作動させ、一方、当該取得された対応情報が、前記隣接ノードの少なくとも１つが前記非ＲＯＤ装置であることを表す場合、前記無線通信装置を前記非ＲＯＤモードにて作動させる、処理を実行させるように構成された無線通信装置制御プログラム。
【産業上の利用可能性】
【０２７４】
本発明は、少なくとも１つの通信先装置と無線通信を実行可能に構成された無線通信装置等に適用可能である。
【符号の説明】
【０２７５】
１      無線通信システム
１０    無線基地局
１１    第１の通信制御部
１２    第２の通信制御部
１３    起動指示信号受信部
１４    パケット転送部
１５    状態制御部
１５１  ＲＯＤサポート表記憶部
１６    電力供給部
１Ａ    無線通信システム
２      無線通信システム
２０，３０  無線端末
２Ａ    無線通信システム
２Ｃ    無線通信システム
３      無線通信システム
４０    通信端末
５１    ホームゲートウェイ
５２    テレビ
５３    携帯ゲーム機
５４    ルータ
５５    火災報知器
５６    ガス漏れ検知器
６１    制御装置
６１ａ  ＲＯＤサポート表受信部
６１ｂ  作動モード決定部
６１ｃ  作動モード設定情報送信部
６２ａ〜６２ｅ  無線基地局
６３ａ，６３ｂ，６３ｃ  無線端末
７１〜７６  無線通信装置
８１    無線通信装置
８２    通信先装置
ＮＷ    通信網
ＮＷ１  第１の通信網
ＮＷ２  第２の通信網
ＮＷ３  通信網
ＮＷＷ  インターネット網
【図１】
0005858464.tif 000002
【図２】
0005858464.tif 000003
【図３】
0005858464.tif 000004
【図４】
0005858464.tif 000005
【図５】
0005858464.tif 000006
【図６】
0005858464.tif 000007
【図７】
0005858464.tif 000008
【図８】
0005858464.tif 000009
【図９】
0005858464.tif 000010
【図１０】
0005858464.tif 000011
【図１１】
0005858464.tif 000012
【図１２】
0005858464.tif 000013
【図１３】
0005858464.tif 000014
【図１４】
0005858464.tif 000015
【図１５】
0005858464.tif 000016